(57)【要約】【課題】コンポジットビーコン及び広帯域同期化シグナリングに関連する方法及び装置【解決手段】    コンポジット信号は、高電力ビーコン信号と、低電力の対応する広帯域同期化信号と、を含み、単一のＯＦＤＭ送信時間間隔を超える時間間隔にわたって通信される。基地局は、１つ以上の異なる該コンポジットブロードキャスト信号を反復的タイミング構造において送信する。各々の異なる可能なビーコン信号、例えば単一トーン信号、が、一意の広帯域同期化信号と対にされる。広帯域同期化信号は、少なくとも幾つかの予め決められたヌルトーンと、少なくとも幾つかの予め決められた非ヌルトーンと、を含む。所定の広帯域同期化信号に関して、前記予め決められたヌルトーンは、予め決められた変調シンボル値を搬送する。無線端末は、コンポジット信号を受信し、ビーコンを識別し、対応する既知の広帯域同期化信号を決定し、受信された広帯域同期化信号を既知の広帯域同期化信号と比較し、タイミング調整、周波数調整及びチャネル推定のうちの少なくとも１つを決定する。【選択図】図１７
2009533986.tif 000002
【特許請求の範囲】
【請求項１】
コンポジット信号を送信するために通信デバイスを動作させる方法であって、
第１のビーコン信号と第１の広帯域同期化信号とを含む第１のコンポジット信号を送信することであって、前記第１の広帯域同期化信号は、第１の複数のトーンを含み、前記第１の複数のトーンは、少なくとも幾つかのヌルトーンと、少なくとも幾つかの低電力トーンと、を含み、前記低電力トーンは、前記第１のビーコン信号のあらゆるトーンのトーン当たり電力の１／２よりも低い平均トーン当たり電力を有することと、
前記第１のコンポジット信号を送信する前記ステップを繰り返すこと、とを具備する、方法。
【請求項２】
前記第１のビーコン信号は、多くとも２つのトーンを含む狭帯域信号である請求項１に記載の方法。
【請求項３】
前記第１のコンポジット信号を送信することは、１つのシンボル送信期間よりも大きい期間中に前記第１のコンポジット信号を送信することを含む請求項２に記載の方法。
【請求項４】
前記第１の広帯域同期化信号は、少なくともＸのトーンを含み、前記第１の広帯域同期化信号に含まれる前記Ｘのトーンの少なくとも１／４はヌルトーンであり、ここで、Ｘは、４よりも大きい正の整数である請求項１に記載の方法。
【請求項５】
Ｘは、少なくとも２０である請求項４に記載の方法。
【請求項６】
前記第１の広帯域同期化信号は、第１の予め決められたパターンに従って前記ヌルトーンが内在されている非ヌルトーンを含む請求項４に記載の方法。
【請求項７】
前記第１の広帯域同期化信号内の前記非ヌルトーンは、予め決められた変調シンボル値を通信する請求項６に記載の方法。
【請求項８】
前記第１の広帯域同期化信号内の予め決められた変調シンボル値は、最大で４つの異なる予め決められた変調シンボル値のうちのいずれかの１つであることができる請求項７に記載の方法。
【請求項９】
前記第１の広帯域同期化信号内の予め決められた変調シンボル値は、２つの異なる予め決められた変調シンボル値のうちのいずれかであることができる請求項７に記載の方法。
【請求項１０】
前記第１のビーコン信号を通信するために用いられない少なくとも１つのトーンを含む第２のビーコン信号と第２の広帯域同期化信号とを含む第２のコンポジット信号を送信することをさらに具備し、前記第２の広帯域同期化信号は、第２の複数のトーンを含み、前記第２の複数のトーンは、少なくとも幾つかのヌルトーンと、少なくとも幾つかの低電力トーンと、を含み、前記低電力トーンは、前記第２のビーコン信号のあらゆるトーンのトーン当たり電力の１／２よりも低い平均トーン当たり電力を有し、前記第２のコンポジット信号を前記送信することは、前記第１のコンポジット信号の送信と重ならない期間中に行われる請求項１に記載の方法。
【請求項１１】
前記第１のコンポジット信号は、ＯＦＤＭ信号であり、前記第１のコンポジット信号は、ユーザーデータを通信するために用いられるＯＦＤＭシンボルとは異なるフォーマットを有する請求項１に記載の方法。
【請求項１２】
前記第２の広帯域同期化信号は、前記第１の広帯域同期化信号の非ヌルトーンと同じであるが前記第１の広帯域同期化信号の少なくとも１つの非ゼロトーンにおいて通信される変調シンボルとは異なる変調シンボルを少なくとも１つの非ゼロトーンにおいて通信する非ヌルトーンを含む請求項１０に記載の方法。
【請求項１３】
前記第２の広帯域同期化信号に含まれる少なくとも幾つかの非ヌルトーンは、前記第１の広帯域同期化信号に含まれる前記非ヌルトーンとは異なる請求項１０に記載の方法。
【請求項１４】
前記第１及び第２の広帯域同期化信号は、一意であり、前記第１及び第２のビーコン信号にそれぞれマッピングする請求項１０記載の方法。
【請求項１５】
複数の追加のコンポジット信号を送信することをさらに具備し、各々の追加のコンポジット信号は、追加のビーコン信号と追加の広帯域同期化信号とを含み、各々の追加の広帯域同期化信号は、少なくとも幾つかのヌルトーンと、少なくとも幾つかの低電力トーンと、を含み、前記低電力トーンは、前記追加のビーコン信号のあらゆるトーンのトーン当たり電力の１／２よりも低い平均トーン当たり電力を含み、各々の追加のビーコン信号は、異なるトーンに対応し、各々の追加の広帯域同期化信号は一意であり、前記追加のビーコン信号のうちの単一の追加のビーコン信号に対応する請求項１４に記載の方法。
【請求項１６】
通信デバイスであって、
コンポジット信号を送信するための多トーン送信機と、
第１のビーコン信号と第１の広帯域同期化信号とを含む第１のコンポジット信号を送信するように及び前記第１のコンポジット信号の前記送信を反復的に繰り返すように前記多トーン送信機を制御するための制御モジュールと、を具備し、前記第１の広帯域同期化信号は、第１の複数のトーンを含み、前記第１の複数のトーンは、少なくとも幾つかのヌルトーンと、少なくとも幾つかの低電力トーンと、を含み、前記低電力トーンは、前記第１のビーコン信号のあらゆるトーンのトーン当たり電力の１／２よりも低い平均トーン当たり電力を有する、通信デバイス。
【請求項１７】
前記第１のビーコン信号は、多くとも２つのトーンを含む狭帯域信号である請求項１６に記載の通信デバイス。
【請求項１８】
前記第１のコンポジット信号は、１つのシンボル送信期間よりも大きい継続時間を有する請求項１７に記載の通信デバイス。
【請求項１９】
前記第１の広帯域同期化信号は、少なくともＸのトーンを含み、前記第１の広帯域同期化信号に含まれる前記Ｘのトーンの少なくとも１／４は、ヌルトーンであり、ここで、Ｘは、４よりも大きい正の整数である請求項１６に記載の通信デバイス。
【請求項２０】
Ｘは、少なくとも２０である請求項１９に記載の通信デバイス。
【請求項２１】
前記第１の広帯域同期化信号は、第１の予め決められたパターンに従って前記ヌルトーンが内在されている非ヌルトーンを含む請求項１９に記載の通信デバイス。
【請求項２２】
前記第１の広帯域同期化信号内の前記非ヌルトーンは、予め決められた変調シンボル値を通信する請求項２１に記載の通信デバイス。
【請求項２３】
前記第１の広帯域同期化信号内の予め決められた変調シンボル値は、最大で４つの異なる予め決められた変調シンボル値のうちのいずれかの１つであることができる請求項２２に記載の通信デバイス。
【請求項２４】
前記第１のコンポジット信号及び第２のコンポジット信号がいつ送信されるべきかを示す格納された送信タイミング情報と、
前記第１及び第２のコンポジット信号を定義する格納された信号定義情報と、をさらに具備し、
前記制御モジュールは、前記多トーン送信機を、前記第１のビーコン信号を通信するために用いられない少なくとも１つのトーンを含む第２のビーコン信号と第２の広帯域同期化信号とを含む第２のコンポジット信号を送信するように前記格納された送信タイミング情報及び前記格納された信号定義情報の関数としてさらに制御し、前記第２の広帯域同期化信号は、第２の複数のトーンを含み、前記第２の複数のトーンは、少なくとも幾つかのヌルトーンと、少なくとも幾つかの低電力トーンと、を含み、前記低電力トーンは、前記第２のビーコン信号のあらゆるトーンのトーン当たり電力の１／２よりも低い平均トーン当たり電力を有し、前記第２のコンポジット信号を前記送信することは、前記第１のコンポジット信号の送信と重ならない期間中に行われる請求項１６に記載の通信デバイス。
【請求項２５】
前記格納された信号情報は、前記第２の広帯域同期化信号が、前記第１の広帯域同期化信号の非ヌルトーンと同じであるが前記第１の広帯域同期化信号の少なくとも１つの非ゼロトーンにおいて通信される前記変調シンボルとは異なる変調シンボルを少なくとも１つの非ゼロトーンにおいて通信する非ヌルトーンを含むことを示す請求項２４に記載の通信デバイス。
【請求項２６】
前記格納された信号情報は、前記第２の広帯域同期化信号に含まれる少なくとも幾つかの非ヌルトーンは、前記第１の広帯域同期化信号に含まれる前記非ヌルトーンとは異なることを示す請求項２４に記載の通信デバイス。
【請求項２７】
前記第１及び第２の広帯域同期化信号は、一意であり、前記第１及び第２のビーコン信号にそれぞれマッピングする請求項２４記載の通信デバイス。
【請求項２８】
複数の追加のコンポジット信号がいつ送信されるべきか示す追加の格納された送信タイミング情報と、
追加のビーコン信号と追加の広帯域同期化信号とを含むように前記複数の追加のコンポジット信号の各々を定義する追加の格納された信号定義情報と、をさらに具備し、各々の追加の広帯域同期化信号は、少なくとも幾つかのヌルトーンと少なくとも幾つかの低電力トーンとを含み、前記低電力トーンは、前記追加のビーコン信号のあらゆるトーンのトーン当たり電力の１／２よりも低い平均トーン当たり電力を有し、各々の追加のビーコン信号は、異なるトーンに対応し、各々の追加の広帯域同期化信号は一意であり、前記追加のビーコン信号のうちの単一の追加のビーコン信号に対応する請求項２７に記載の通信デバイス。
【請求項２９】
通信デバイスであって、
多トーンコンポジット信号を送信するための手段と、
第１のビーコン信号と第１の広帯域同期化信号とを含む第１のコンポジット信号を送信するように及び前記第１のコンポジット信号の前記送信を反復的に繰り返すように多トーンコンポジット信号を送信するための前記手段を制御するための手段と、を具備し、前記第１の広帯域同期化信号は、第１の複数のトーンを含み、前記第１の複数のトーンは、少なくとも幾つかのヌルトーンと、少なくとも幾つかの低電力トーンと、を含み、前記低電力トーンは、前記第１のビーコン信号のあらゆるトーンのトーン当たり電力の１／２よりも低い平均トーン当たり電力を有する、通信デバイス。
【請求項３０】
前記第１のビーコン信号は、多くとも２つのトーンを含む狭帯域信号であり、
前記第１のコンポジット信号は、１つのシンボル送信期間よりも大きい継続時間を有する請求項２９に記載の通信デバイス。
【請求項３１】
前記第１の広帯域同期化信号は、第１の予め決められたパターンに従って前記ヌルトーンが内在されている非ヌルトーンを含む請求項２９に記載の通信デバイス。
【請求項３２】
前記第１のコンポジット信号及び第２のコンポジット信号がいつ送信されるべきかを示す送信タイミング情報を格納するための手段と、
前記第１及び第２のコンポジット信号を定義する信号定義情報を格納するための手段と、をさらに具備し、
前記制御手段は、前記多トーン送信機を、前記第１のビーコン信号を通信するために用いられない少なくとも１つのトーンを含む第２のビーコン信号と第２の広帯域同期化信号とを含む第２のコンポジット信号を送信するように前記格納された送信タイミング情報及び前記格納された信号定義情報の関数としてさらに制御し、前記第２の広帯域同期化信号は、第２の複数のトーンを含み、前記第２の複数のトーンは、少なくとも幾つかのヌルトーンと、少なくとも幾つかの低電力トーンと、を含み、前記低電力トーンは、前記第２のビーコン信号のあらゆるトーンのトーン当たり電力の１／２より低い平均トーン当たり電力を有し、前記第２のコンポジット信号を前記送信することは、前記第１のコンポジット信号の送信と重ならない期間中に行われる請求項２９に記載の通信デバイス。
【請求項３３】
信号情報を格納するための前記手段は、前記第２の広帯域同期化信号は、前記第１の広帯域同期化信号の前記非ヌルトーンと同じであるが前記第１の広帯域同期化信号の少なくとも１つの非ゼロトーンにおいて通信される前記変調シンボルとは異なる変調シンボルを少なくとも１つの非ゼロトーンにおいて通信する非ヌルトーンを含むことを示す情報を格納する請求項３２に記載の通信デバイス。
【請求項３４】
信号情報を格納するための前記手段は、前記第２の広帯域同期化信号に含まれる少なくとも幾つかの非ヌルトーンは、前記第１の広帯域同期化信号に含まれる前記非ヌルトーンとは異なることを示す情報を格納する請求項３２に記載の通信デバイス。
【請求項３５】
通信システムにおいて動作可能な装置であって、
第１のビーコン信号と第１の広帯域同期化信号とを含む第１のコンポジット信号を送信し、
前記第１のコンポジット信号を送信する前記ステップを繰り返すように構成されたプロセッサであって、前記第１の広帯域同期化信号は、第１の複数のトーンを含み、前記第１の複数のトーンは、少なくとも幾つかのヌルトーンと、少なくとも幾つかの低電力トーンと、を含み、前記低電力トーンは、前記第１のビーコン信号のあらゆるトーンのトーン当たり電力の１／２よりも低い平均トーン当たり電力を有する、プロセッサ、を具備する、装置。
【請求項３６】
前記プロセッサは、前記第１のビーコン信号が多くとも２つのトーンを含む狭帯域信号であるように構成される請求項３５に記載の装置。
【請求項３７】
前記プロセッサは、１つのシンボル送信期間よりも大きい期間中に前記第１のコンポジット信号を送信するように構成される請求項３６に記載の装置。
【請求項３８】
無線通信デバイスを動作させる方法であって、
ビーコン信号と広帯域同期化信号とを含む信号を受信することと、
前記受信されたビーコン信号を識別することと、
前記識別されたビーコン信号に対応する既知の広帯域同期化信号を決定すること、とを具備する、方法。
【請求項３９】
前記受信されたビーコン信号は、多くとも２つのトーンを含む狭帯域信号である請求項３８に記載の方法。
【請求項４０】
前記広帯域同期化信号は、複数のトーンを含む請求項３９に記載の方法。
【請求項４１】
前記受信された広帯域同期化信号と前記決定された既知の広帯域同期化信号との間における比較動作を行うことをさらに具備する請求項３８に記載の方法。
【請求項４２】
前記比較は、相関動作である請求項４１に記載の方法。
【請求項４３】
受信機タイミング調整動作を前記比較動作の結果の関数として行うことをさらに具備する請求項４１に記載の方法。
【請求項４４】
受信機周波数調整動作を前記比較動作の結果及び前記受信されたビーコン信号の周波数の測定値のうちの少なくとも１つの関数として行うことをさらに具備する請求項４１に記載の方法。
【請求項４５】
前記受信された広帯域同期化信号及び前記決定された既知の広帯域同期化信号の両方を用いてチャネル推定値を生成することをさらに具備する請求項４４に記載の方法。
【請求項４６】
チャネル推定値を前記生成することは、前記決定された既知の広帯域同期化信号と前記受信された広帯域同期化信号との間の差を決定することを含む請求項４５に記載の方法。
【請求項４７】
無線端末であって、
ビーコン信号と広帯域同期化信号とを含む信号を受信するための受信機と、
前記受信されたビーコン信号を識別するためのビーコン信号識別モジュールと、
前記識別されたビーコン信号に対応する既知の広帯域同期化信号を決定するための広帯域同期化信号決定モジュールと、を具備する、無線端末。
【請求項４８】
前記受信されたビーコン信号は、多くとも２つのトーンを含む狭帯域信号である請求項４７に記載の無線端末。
【請求項４９】
前記広帯域同期化信号は、複数のトーンを含む請求項４８に記載の無線端末。
【請求項５０】
前記受信された広帯域同期化信号及び前記決定された既知の広帯域同期化を比較することを含む比較動作を行うための比較モジュールをさらに具備する請求項４７に記載の無線端末。
【請求項５１】
前記比較モジュールは、相関動作を行うための相関モジュールを含む請求項５０に記載の無線端末。
【請求項５２】
受信機タイミング調整動作を前記比較動作の結果の関数として行うための受信機タイミング調整モジュールをさらに具備する請求項５０に記載の無線端末。
【請求項５３】
受信機周波数調整動作を前記比較動作の結果及び前記受信されたビーコン信号の周波数の測定値のうちの少なくとも１つの関数として行うための受信機周波数調整モジュールをさらに具備する請求項５０に記載の無線端末。
【請求項５４】
前記受信された広帯域同期化信号及び前記決定された既知の広帯域同期化信号の両方を用いてチャネル推定値を生成するためのチャネル推定モジュールをさらに具備する請求項５３に記載の無線端末。
【請求項５５】
前記チャネル推定モジュールは、前記決定された既知の広帯域同期化信号と前記受信された広帯域同期化信号との間の差を決定するための差決定モジュールを含む請求項５４に記載の無線端末。
【請求項５６】
無線通信デバイスであって、
ビーコン信号と広帯域同期化信号とを含む信号を受信するための手段と、
前記受信されたビーコン信号を識別するための手段と、
前記識別されたビーコン信号に対応する既知の広帯域同期化信号を決定するための手段と、を含む、無線通信デバイス。
【請求項５７】
前記受信されたビーコン信号は、多くとも２つのトーンを含む狭帯域信号であり、前記広帯域同期化信号は、複数のトーンを含む請求項５６に記載の無線端通信デバイス。
【請求項５８】
前記受信された広帯域同期化信号と前記決定された既知の広帯域同期化との間における比較動作を行うための手段をさらに具備する請求項５６に記載の無線通信デバイス。
【請求項５９】
比較するための前記手段は、相関動作のための手段を含む請求項５８に記載の無線通信デバイス。
【請求項６０】
受信機タイミング調整動作を前記比較動作の結果の関数として行うための手段をさらに具備する請求項５８に記載の無線通信デバイス。
【請求項６１】
受信機周波数調整動作を前記比較動作の結果及び前記受信されたビーコン信号の周波数の測定値のうちの少なくとも１つの関数として行うための手段をさらに具備する請求項５８に記載の無線通信デバイス。
【請求項６２】
前記受信された広帯域同期化信号及び前記決定された既知の広帯域同期化信号の両方を用いてチャネル推定値を生成するための手段をさらに具備する請求項６１に記載の無線通信デバイス。
【請求項６３】
コンポジット信号を送信する方法を実装するように通信デバイスを制御するための機械によって実行可能な命令を具体化したコンピュータによって読み取り可能な媒体であって、前記方法は、
第１のビーコン信号と第１の広帯域同期化信号とを含む第１のコンポジット信号を送信することであって、前記第１の広帯域同期化信号は、第１の複数のトーンを含み、前記第１の複数のトーンは、少なくとも幾つかのヌルトーンと、少なくとも幾つかの低電力トーンと、を含み、前記低電力トーンは、前記第１のビーコン信号のあらゆるトーンのトーン当たり電力の１／２よりも低い平均トーン当たり電力を有することと、
前記第１のコンポジット信号を送信する前記ステップを繰り返すこと、とを具備する、コンピュータによって読み取り可能な媒体。
【請求項６４】
前記第１のビーコン信号は、多くとも２つのトーンを含む狭帯域信号である請求項６３に記載のコンピュータによって読み取り可能な媒体。
【請求項６５】
前記第１の広帯域同期化信号は、第１の予め決められたパターンに従って前記ヌルトーンが内在されている非ヌルトーンを含み、前記第１の広帯域同期化信号内の前記非ヌルトーンは、予め決められた変調シンボル値を通信する請求項６４に記載のコンピュータによって読み取り可能な媒体。
【請求項６６】
前記第１のビーコン信号を通信するために用いられない少なくとも１つのトーンを含む第２のビーコン信号と第２の広帯域同期化信号とを含む第２のコンポジット信号を送信するための機械によって実行可能な命令であって、前記第２の広帯域同期化信号は、第２の複数のトーンを含み、前記第２の複数のトーンは、少なくとも幾つかのヌルトーンと、少なくとも幾つかの低電力トーンと、を含み、前記低電力トーンは、前記第１のビーコン信号のあらゆるトーンのトーン当たり電力の１／２よりも低い平均トーン当たり電力を有し、前記第２のコンポジット信号を前記送信することは、前記第１のコンポジット信号の送信と重ならない期間中に行われる、機械によって実行可能な命令、をさらに具体化した請求項６３に記載のコンピュータによって読み取り可能な媒体。
【請求項６７】
前記第１のコンポジット信号は、ＯＦＤＭ信号であり、前記第１のコンポジット信号は、ユーザーデータを通信するために用いられるＯＦＤＭシンボルとは異なるフォーマットを有する請求項６３に記載のコンピュータによって読み取り可能な媒体。
【請求項６８】
方法を実装するように無線通信デバイスを制御するための機械によって実行可能な命令を具体化したコンピュータによって読み取り可能な媒体であって、前記方法は、
ビーコン信号と広帯域同期化信号とを含む信号を受信することと、
前記受信されたビーコン信号を識別することと、
前記識別されたビーコン信号に対応する既知の広帯域同期化信号を決定すること、とを具備する、コンピュータによって読み取り可能な媒体。
【請求項６９】
前記受信されたビーコン信号は、多くとも２つのトーンを含む狭帯域信号である請求項６８に記載のコンピュータによって読み取り可能な媒体。
【請求項７０】
前記広帯域同期化信号は、複数のトーンを含む請求項６９に記載のコンピュータによって読み取り可能な媒体。
【請求項７１】
前記受信された広帯域同期化信号と前記決定された既知の広帯域同期化信号との間における比較動作を行うための機械によって実行可能な命令をさらに具体化した請求項６８に記載のコンピュータによって読み取り可能な媒体。
【請求項７２】
前記比較は、相関動作である請求項７１に記載のコンピュータによって読み取り可能な媒体。
【請求項７３】
受信機タイミング調整動作を前記比較動作の結果の関数として行うための機械によって実行可能な命令をさらに具体化した請求項７１に記載のコンピュータによって読み取り可能な媒体。
【請求項７４】
受信機周波数調整動作を前記比較動作の結果及び前記受信されたビーコン信号の周波数の測定値のうちの少なくとも１つの関数として行うための機械によって実行可能な命令をさらに具体化した請求項７１に記載のコンピュータによって読み取り可能な媒体。
【請求項７５】
前記受信された広帯域同期化信号及び前記決定された既知の広帯域同期化信号の両方を用いてチャネル推定値を生成するための機械によって実行可能な命令をさらに具体化した請求項７４に記載のコンピュータによって読み取り可能な媒体。
【請求項７６】
前記決定された既知の広帯域同期化信号と前記受信された広帯域同期化信号との間の差をチャネル推定値を生成する前記ステップの一部として決定するための機械によって実行可能な命令をさらに具体化した請求項７５に記載のコンピュータによって読み取り可能な媒体。
【請求項７７】
通信システムにおいて動作可能な装置であって、
ビーコン信号と広帯域同期化信号とを含む信号を受信し、
前記受信されたビーコン信号を識別し、
前記識別されたビーコン信号に対応する既知の広帯域同期化信号を決定するように構成されたプロセッサを具備する、装置。
【請求項７８】
前記受信されたビーコン信号は、多くとも２つのトーンを含む狭帯域信号である請求項７７に記載の装置。
【請求項７９】
前記広帯域同期化信号は、複数のトーンを含む請求項７８に記載の装置。
【発明の詳細な説明】
【技術分野】
【０００１】
本特許出願は、“METHODS AND APPARATUS RELATED TO COMPOSITE BEACON AND WIDEBAND SYNCHRONIZATION SIGNALING”（コンポジットビーコン及び広帯域同期化シグナリングに関連する方法及び装置）という題名を有する米国仮特許出願一連番号６０／７９２，２８２（出願日：２００６年４月１４日）の出願日の利益を主張するものである。
【０００２】
本特許出願は、無線通信システムに関するものである。本発明は、より具体的には、ビーコン及び広帯域同期化シグナリングを用いる方法及び装置に関するものである。
【背景技術】
【０００３】
無線通信システムにおいては、無線端末がシステム内を移動するのに応じて、チャネル状態が、幾つかの変数、例えば、基地局アタッチメントポイントからの距離、障害物、地形、干渉レベル、等、の関数として変化する。ある地点においては、無線端末が１つの基地局から他の基地局へのハンドオフ動作を経ることが必要になる場合がある。該無線端末は、継続的に、無線端末と代替アタッチメントポイントとの間におけるチャネル推定値を素早く評価及び比較できることが望ましい。無線端末が例えばサイクリックプリフィックス継続時間内まで精密にタイミング同期化すること、及び／又はチャネル状態を評価するように求める先であるアタッチメントポイントの各々に関して精密に周波数同期化することを最初に要求せずに該チャネル推定を容易にする方法及び装置も望ましい。
【０００４】
オフ状態にあってパワーアップする無線端末は、典型的に、基地局アタッチメントポイントとの接続を確立する必要がある。複数の代替アタッチメントポイントにおいて接続を確立することができる場合においては、無線端末が代替アタッチメントポイントを素早く比較すること及び／又はチャネル推定を素早く確立することを可能にする方法及び装置が利用可能であれば望ましい。従って、上述されるニーズのうちの１つ以上に対処することができる方法及び装置が必要である。
【発明の開示】
【発明の概要】
【０００５】
基地局送信機は、コンポジット信号であって、ビーコン信号と対応する広帯域同期化信号とを含むコンポジット信号、を送信する。基地局アタッチメントポイントは、一組のダウンリンクトーンを使用し、前記ダウンリンクトーンの組の予め決められた部分組が、ビーコン信号を搬送するために基地局アタッチメントポイントによって用いられる。幾つかの実施形態においては、個々のビーコン信号は、相対的に高いトーン当たり送信電力レベルで単一のトーンを使用し、他方、対応する広帯域同期化信号は、非ヌルトーンに関する相対的に低い平均トーン当たり送信電力レベルを用いる。様々な実施形態においては、前記コンポジット信号は、継続時間の点でＯＦＤＭシンボル送信時間間隔よりも大きい。例えば、幾つかの実施形態においては、前記コンポジット信号は、サイクリックプリフィックス部分、本体（ｂｏｄｙ）部分、及び拡張部分を含む２ＯＦＤＭシンボル送信時間間隔幅の信号である。前記コンポジット信号のフォーマットは、幾つかの実施形態においては、単一のＯＦＤＭシンボル送信時間間隔の継続時間を有しており通常はサイクリックプリフィックス部分と本体（ｂｏｄｙ）部分を含むが拡張部分は含まないユーザーデータを搬送するより従来型のＯＦＤＭシンボルのフォーマットと異なる。
【０００６】
１つの典型的実施形態においては、ビーコン信号は、単一トーン信号であり、各々の異なるビーコントーンは、対応する広帯域同期化信号の変調シンボル値を搬送する非ヌルトーンとして用いられる予め決められた対応する一組のトーンを識別する異なるトーンマスクに対応する。幾つかの実施形態においては、各々の異なるビーコントーンに関して、予め決められた情報も、前記対応する広帯域同期化信号の一組の非ヌルトーンの各々のトーンに関して、搬送すべき変調シンボル値を識別する。対応する広帯域同期化信号においては、一組の予め決められたヌルトーンも存在し、該ヌルトーンは、前記コンポジット信号を受信する無線端末によるチャネル推定を容易にするために意図的に非使用状態である。幾つかの実施形態においては、広帯域同期化信号のトーンの少なくとも１／４は、意図的ヌルトーンである。
【０００７】
様々な、ただし必ずしもすべてではない実施形態は、次の特長、すなわち、（ｉ）１０１以上のトーン、例えば１１３トーン、を具備するダウンリンクトーンブロックである、（ｉｉ）前記ダウンリンクトーンブロックのトーンから成る予め決められた部分組をビーコントーンとして用いることができ、前記部分組の前記サイズは、前記ダウンリンクトーンブロックのサイズの１／２よりも小さく、例えば、１１３のダウンリンクトーンのうちの３６をビーコントーンとして用いることができる、（ｉｉｉ）可能なビーコントーンは、いずれの２つの可能なビーコントーンも隣接しないように配置される、（ｉｖ）前記可能なビーコントーンは、均一な間隔で配置される、（ｖ）個々のビーコン信号は、可能なビーコントーンの部分組の中から１つのトーンを用いる、（ｖｉ）可能なビーコン信号は、ビーコントーンの前記部分組の中の２つの隣接するトーンを用いる、（ｖｉｉ）広帯域同期化信号は、予め決められた意図的ヌルトーン及び予め決められた非ヌルトーンを含み、前記広帯域同期化信号のトーンのうちの少なくとも１／４はヌルトーンである、（ｖｉｉｉ）ビーコントーンは、第１の送信電力レベルで送信される予め決められた固定値を表す変調シンボル値を搬送し、各々の広帯域同期化信号ヌルトーンは、第２の送信電力レベルで送信される最大で４つの異なる可能な変調シンボル値のちの１つの変調シンボル値を搬送し、前記第２の電力レベルは、前記第１の電力レベルよりも低い、及び（ｉｘ）前記第１の電力レベルは、前記トーンブロック内の基地局アタッチメントポイント送信機によって用いられる最高のトーン当たりエネルギーレベルに対応する、のうちの少なくとも３つを組み入れる。
【０００８】
様々な実施形態においては、基地局送信機は、反復的タイミング構造内の第１のポイントにおいて第１のビーコン信号と対応する第１の広帯域同期化信号とを含む第１のコンポジット信号を最初に送信し、前記反復的タイミング構造内の第２のポイントにおいて第２のビーコン信号と第２の対応する広帯域同期化信号とを含む第２のコンポジット信号を送信し、前記第１及び第２の時点は異なり、前記第１のビーコン信号内の少なくとも１つのトーンは、前記第２のビーコン信号内の少なくとも１つのトーンと異なる。
【０００９】
幾つかの実施形態においては、各々の異なるビーコン信号は、既知の広帯域同期化信号、例えば、一意の既知の広帯域同期化信号、と対である。無線端末は、コンポジット信号を受信し、前記ビーコン信号を識別し、次に対応する既知の広帯域同期化信号を決定する。前記無線端末は、前記受信された広帯域同期化信号を前記決定された既知の広帯域同期化信号と比較する、例えば相互に関連づける。前記無線端末は、広帯域同期化信号比較情報を用いて、受信機タイミング調整、受信機周波数調整、及びチャネル推定のうちの少なくとも１つを決定する。
【００１０】
上記の発明の概要においては様々な実施形態が説明されている一方で、必ずしもすべての実施形態が同じ特長を含むわけではないこと及び上述される特長の一部は必要ないが幾つかの実施形態においては望ましい可能性があるということが理解されるべきである。数多くの追加の特長、実施形態及び様々な実施形態の利益が以下の発明を実施するための最良の形態において説明される。
【発明を実施するための最良の形態】
【００１１】
図１は、様々な実施形態により実装される典型的通信システム１００を示し、複数のセル、すなわちセル１  １０２、セルＭ  １０４を含む。典型的システム１００は、例えば、典型的ＯＦＤＭ拡散スペクトル無線通信システム、例えば多元接続ＯＦＤＭシステム、である。典型的システム１００の各セル１０２、１０４は、３つのセクターを含む。様々な実施形態により、複数のセクターに細分されていないセル（Ｎ＝１）、２つのセクターを有するセル（Ｎ＝２）及び３つよりも多いセクターを有するセル（Ｎ＞３）も可能である。各セクターは、１つ以上の搬送波及び／又はダウンリンクトーンブロックをサポートする。幾つかの実施形態においては、前記セクターの少なくとも一部は、３つのダウンリンクトーンブロックをサポートする。様々な実施形態においては、ダウンリンクトーンブロックの少なくとも一部は、対応するアップリンクトーンブロックを有する。セル１０２は、第１のセクター、セクター１  １１０と、第２のセクター、セクター２  １１２と、第３のセクター、セクター３  １１４と、を含む。同様に、セルＭ  １０４は、第１のセクター、セクター１  １２２と、第２のセクター、セクター２  １２４と、第３のセクター、セクター３  １２６と、を含む。セル１  １０２は、基地局（ＢＳ）、基地局１  １０６と、各セクター１１０、１１２、１１４内の複数のエンドノード（ＥＮ）と、を含む。セクター１  １１０は、無線リンク１４０、１４２をそれぞれ介してＢＳ１０６に結合されたＥＮ（１）１３６と、ＥＮ（Ｘ）１３８と、を含む。セクター２  １１２は、無線リンク１４８、１５０をそれぞれ介してＢＳ１０６に結合されたＥＮ（１’）１４４と、ＥＮ（Ｘ’）１４６と、を含む。セクター３  １１４は、無線リンク１５６、１５８をそれぞれ介してＢＳ１０６に結合されたＥＮ（１’’）１５２と、ＥＮ（Ｎ’’）１５４と、を含む。同様に、セルＭ  １０４は、基地局Ｍ  １０８と、各セクター１２２、１２４、１２６内の複数のエンドノード（ＥＮ）と、を含む。セクター１  １２２は、無線リンク１４０’、１４２’をそれぞれ介してＢＳ  Ｍ  １０８に結合されたＥＮ（１）１３６’と、ＥＮ（Ｘ）１３８’と、を含む。セクター２  １２４は、無線リンク１１４８’、１５０’をそれぞれ介してＢＳ  Ｍ  １０８に結合されたＥＮ（１’）１４４’と、ＥＮ（Ｘ’）１４６’と、を含む。セクター３  １２６は、無線リンク１５６’、１５８’をそれぞれ介してＢＳ  １０８に結合されたＥＮ（１’’）１５２’と、ＥＮ（Ｘ’’）１５４’と、を含む。  
システム１００は、ネットワークリンク１６２、１６４をそれぞれ介してＢＳ１  １０６及びＢＳ  Ｍ  １０８に結合されるネットワークノード１６０も含む。ネットワークノード１６０は、ネットワークリンク１６６を介してその他のネットワークノード、例えばその他の基地局、ＡＡＡサーバーノード、中間ノード、ルーター等、及びインターネットにも結合される。ネットワークリンク１６２、１６４、１６６は、例えば光ファイバケーブルであることができる。各エンドノード、例えばＥＮ１  １３６、は、送信機及び受信機を含む無線端末であることができる。無線端末、例えばＥＮ（１）１３６は、システム１００内を移動することができ、ＥＮが現在所在するセル内の基地局と無線リンクを介して通信することができる。無線端末（ＷＴ）、例えばＥＮ（１）１３６は、基地局、例えばＢＳ  １０６、及び／又はネットワークノード１６０、を介してピアノード、例えばシステム１００内の又はシステム１００外のその他のＷＴと通信することができる。ＥＮ（１）１３６は、移動通信デバイス、例えば携帯電話、無線モデム付きパーソナルデータアシスタント、等であることができる。
【００１２】
各基地局（１０６、１０８）は、ダウンリンクタイミング及び周波数構造により、ダウンリンクシグナリング、例えば、多シンボル継続時間コンポジット信号であって、ビーコン信号と対応する広帯域同期化信号とを含むコンポジット信号、の送信を行い、前記コンポジット信号は、初期ＯＦＤＭシンボルと、拡張ＯＦＤＭシンボルと、を含む。ダウンリンクシグナリングは、ダウンリンクタイミング及び周波数構造によりユーザーデータを搬送するＯＦＤＭシンボルを送信することも含む。異なる基地局セクター送信機が必ずしもタイミング同期化されるわけではない。例えば、幾つかの実施形態においては、同じ基地局のセクター送信機がタイミング同期化されるが、異なる基地局からのセクター送信機はタイミング同期化されない。多シンボルビーコン／広帯域同期化コンポジット信号は、例えばサイクリックプリフィックス継続時間内まで正確に、コンポジット信号が送信されるアタッチメントポイントに関してタイミング同期化できる場合とできない場合がある無線端末による簡単な検出及び測定を容易にするために生成されて送信される。様々な実施形態により、基地局ビーコン／タイミング同期化コンポジットシグナリングは、複数の異なる基地局セクターアタッチメントポイントに対応するビーコン信号及び／又はチャネル推定値の比較を容易にする。
【００１３】
図２は、様々な実施形態により実装される典型的基地局２００の図である。典型的基地局２００は、図１の典型的システム１００の基地局（１０６、１０８）のうちのいずれかであることができる。典型的基地局２００は、様々な要素がデータ及び情報を交換することができるバス２１６を介してひとつに結合された複数のセクター受信機モジュール（セクター１受信機モジュール２０２、．．．、セクターＮ受信機モジュール２０４）と、複数のセクター送信機モジュール（セクター１送信機モジュール２０６、．．．、セクターＮ送信機モジュール２０８）と、プロセッサ２１０と、Ｉ／Ｏインタフェース２１２と、メモリ２１４と、を含む。幾つかの実施形態においては、セクター送信機モジュール数Ｎは、Ｎ＝２，３、又は３よりも多い。
【００１４】
幾つかの実施形態においては、基地局は、単一のセクターに対応し、基地局は、多くとも１つのセクター送信機モジュールと、１つのセクター受信機モジュールと、を含む。幾つかの該実施形態においては、基地局は、その他の１つのセクター基地局と共配置され、複数の該基地局の複合体は、単一のセルに関するカバレッジエリアを提供する。幾つかのその他の該実施形態においては、単一セクター基地局は、セルに対応し、１つの単一セクター基地局がセルエリア全体に関する全カバレッジを提供する。
【００１５】
セクター１受信機モジュール２０２は、セクター１受信アンテナ２０３に結合され、基地局２００は、セクター１受信アンテナ２０３を介して、基地局２００セクター１物理的アタッチメントポイントを自己のアタッチメントポイントとして用いる無線端末からアップリンク信号を受信する。セクターＮ受信機モジュール２０４は、セクターＮ受信アンテナ２０５に結合され、基地局は、セクターＮ受信アンテナ２０５を介して、基地局２００セクターＮ物理的アタッチメントポイントを自己のアタッチメントポイントとして用いる無線端末からアップリンク信号を受信する。
【００１６】
セクター１送信機モジュール２０６は、セクター１送信アンテナ２０７に結合され、基地局２００は、セクター１送信アンテナ２０７を介して、ダウンリンク信号を無線端末に送信する。セクターＮ送信機モジュール２０８は、セクターＮ送信アンテナ２０９に結合され、基地局２００は、セクターＮ送信アンテナ２０９を介して、ダウンリンク信号を無線端末に送信する。例えば、幾つかの実施形態においては、セクター１送信機モジュール２０６は、（ｉ）初期シンボル部分及び拡張シンボル部分を含む多シンボルＯＦＤＭビーコン／広帯域同期化コンポジット信号と、（ｉｉ）ユーザーデータ、制御データ及び／又はパイロット信号を含むダウンリンクユーザーデータＯＦＤＭシンボルと、を含むダウンリンク信号を送信する。
【００１７】
所定のセクターに関する幾つかの実施形態においては、セクター送信機モジュール及びセクター受信機モジュールに関して同じアンテナが用いられる。幾つかの実施形態においては、所定のセクターに関して、基地局セクターは、複数の物理的アタッチメントポイントに対応する、例えば複数の、例えば３つの、ダウンリンクトーンブロック及び／又はダウンリンク搬送波に対応する、接続性を提供する。幾つかの実施形態においては、ダウンリンクトーンブロックに関して、対応するアップリンクトーンブロックが存在する。
【００１８】
セクター１送信機モジュール２０６は、ひとつに結合された信号生成器モジュール２１７と、ＯＦＤＭ送信機２１８と、を含む。信号生成器モジュール２１７は、多ＯＦＤＭシンボル継続時間コンポジット信号であって、ビーコントーン信号と少なくとも幾つかの意図的ＮＵＬＬトーンを含む広帯域同期化信号とを含むコンポジット信号と、（ｉｉ）ユーザーデータ、制御データ及び／又はパイロット信号を含む単一ＯＦＤＭシンボル信号と、を含む信号を生成する。信号生成器モジュール２１７は、ビーコン／広帯域同期化信号初期ＯＦＤＭシンボル生成モジュール２２０と、ビーコン／広帯域同期化信号拡張ＯＦＤＭシンボル生成モジュール２２２と、ビーコンモジュール２２４と、非ヌルトーン割り当てモジュール２２７及びヌルトーン割り当てモジュール２２８を含む同期化信号生成器モジュール２２６と、電力スケーリングモジュール２３０と、ユーザーデータＯＦＤＭシンボル生成モジュール２３２と、を含む。ビーコン／広帯域同期化信号初期シンボル生成モジュール２２０は、多シンボルコンポジット信号内の初期ＯＦＤＭシンボルを生成し、初期ＯＦＤＭシンボルはサイクリックプリフィックス部分と本体部分とを含み、本体部分はサイクリックプリフィックス部分の直後に続く。ビーコン／広帯域同期化信号初期シンボル生成モジュール２２０は、サイクリックプリフィックス生成モジュールを含む。サイクリックプリフィックス生成モジュールは、本体部分の端部をコピーすることによってサイクリックプリフィックス部分を生成する。ビーコン／広帯域同期化信号拡張シンボル生成モジュール２２２は、多シンボルコンポジット信号内の初期シンボルの直後に続くシンボル拡張部分、例えばシンボル拡張ＯＦＤＭシンボル、を生成する。生成されたシンボル拡張部分は、シンボル拡張部分の始めから始まる本体部分の最初のコピーを含む。
【００１９】
ビーコンモジュール２２４は、タイミング構造に関する所定の時点における基地局セクター１送信機モジュールに対応するダウンリンク周波数／タイミング構造内の所定の多シンボルコンポジット信号に関するビーコントーンを識別する。電力スケーリングモジュール２３０は、コンポジット信号内のその他のいずれのトーンよりも多くのエネルギーを識別されたビーコントーンに乗せる（ｐｌａｃｅ）。幾つかの実施形態においては、単一ビーコントーンに乗せられるエネルギーは、コンポジット信号に含まれているその他のあらゆるトーンに乗せられるエネルギーよりも少なくとも３ｄＢ高い。
【００２０】
同期化信号生成器モジュール２２６は、非ヌルトーン割り当てモジュール２２７とヌルトーン割り当てモジュール２２８とを含み、コンポジット信号内の広帯域同期化信号に対応する複数のトーンを含むために用いられる。非ヌルトーン割り当てモジュール２２７は、生成中のコンポジット信号の特定の広帯域同期化信号に関する予め決められた複数のトーン上に予め決められたエネルギーレベルの予め決められた変調シンボル値を乗せるように送信機２１８を制御する。ヌルトーン割り当てモジュール２２８は、生成中のコンポジット信号の特定の広帯域同期化信号に関する予め決められた複数のＮＵＬＬトーンにエネルギーを乗せないように送信機２１８を制御する。生成中の特定の広帯域信号は、特定のビーコントーン信号に対応するようにマッチングされている。広帯域同期化信号の非ヌルトーンと関係する意図的ＮＵＬＬトーンは、例えばタイミング調整、周波数調整及び／又はチャネル推定のための無線端末による測定を容易にする。
【００２１】
幾つかの実施形態においては、コンポジット信号の初期ＯＦＤＭシンボルは、初期ＯＦＤＭシンボルの期間中に基地局送信機モジュール２０６によって送信される完全な一組のダウンリンクトーンを含む。例えば、典型的１．２５ＭＨｚ  ＯＦＤＭ実施形態に関して、ダウンリンクトーンの完全な組は、１１３のトーンから成る組であり、初期ＯＦＤＭシンボルは、１つの高電力ビーコントーンと、複数の低電力広帯域同期化信号非ヌルトーン、例えば５５のトーンと、複数の広帯域同期化信号ヌルトーン、例えば５７のＮＵＬＬトーンと、を含む。
【００２２】
ユーザーデータシンボル生成モジュール２３２は、ユーザーデータ、制御データ及び／又はパイロット信号を含むＯＦＤＭユーザーデータシンボルを生成する。例えば、多シンボルコンポジット信号の直後において、ユーザーデータ生成モジュール２３２は、１つのシーケンスのユーザーデータＯＦＤＭシンボル、例えば１１２のユーザーデータＯＦＤＭシンボル、を生成することができる。例えば、多シンボル信号は、１１４の連続するＯＦＤＭシンボルから成るスーパースロット内の最初の２つのＯＦＤＭシンボル、例えばストリップシンボル、に対応することができ、１１２のユーザーデータＯＦＤＭシンボルは、同じスーパースロットの８つのスロットのＯＦＤＭシンボルであることができる。各ユーザーデータシンボルは、ユーザーデータサイクリックプリフィックス部分と、ユーザーデータ本体部分と、を含む。ユーザーデータ本体部分は、基地局がその時点で送信すべき少なくとも何らかのダウンリンクユーザーデータを有することを条件として、少なくとも何らかのユーザーデータを含む。例えば、典型的ＯＦＤＭユーザーデータシンボルは、コーディングされたユーザーデータ情報ビットを搬送するために用いられる変調シンボル値を各々搬送する４つの異なるトラフィックチャネルセグメントに対応する変調シンボル値を含む。所定のＯＦＤＭユーザーデータの異なるチャネルセグメントは、異なる送信電力レベルと関連づけることができる。幾つかの実施形態においては、ＯＦＤＭユーザーデータシンボルの各々は、例えば、ビーコン信号を搬送する多シンボルコンポジット信号の初期シンボル内のトーンの最高のトーン当たり電力レベルよりも少なくとも３ｄＢ低いトーン当たり電力レベルで送信されるように電力スケーリングモジュール２３０によって制御される。幾つかの実施形態においては、信号生成モジュール２１７の一部の又はすべての部分がルーチン２３４に含まれる。送信機２１８は、信号生成モジュール２１７によって生成された信号を送信する多トーンＯＦＤＭ送信機である。
【００２３】
Ｉ／Ｏインタフェース２１２は、インターネット及び／又はその他のネットワークノード、例えばルーター、その他の基地局、ＡＡＡノード、中央制御ノード、ホームエージェントノード、等に基地局２００を結合する。従って、Ｉ／Ｏインタフェース２１２は、基地局２００物理的アタッチメントポイントを用いる無線端末に関するネットワークインタフェースを提供し、異なるセル内のＷＴ間における通信セッションを容易にする。
【００２４】
メモリ２１４は、ルーチン２３４と、データ／データ２３６と、を含む。プロセッサ２１０、例えばＣＰＵ、は、基地局２００の動作を制御するために及び方法を実装するためにメモリ２１４内のルーチン２３４を実行し、データ／情報２３６を用いる。ルーチン２３４は、通信ルーチン２３８と、基地局制御ルーチン２４０と、を含む。通信ルーチン２３８は、基地局２００によって用いられる様々な通信プロトコルを実装する。基地局制御ルーチン２４０は、スケジューラモジュール２４２と、受信機制御モジュール２４４と、送信機制御モジュール２４６と、Ｉ／Ｏインタフェースモジュール２４８と、を含む。スケジューラモジュール２４２、例えばスケジューラ、は、エアリンク資源をスケジューリングする、例えば、トラフィックチャネルセグメントを含むアップリンク及びダウンリンクセグメントを、基地局２００アタッチメントポイントを用いる無線端末に割り当てる。
【００２５】
受信機制御モジュール２４４は、セクター受信機モジュール（２０２、２０４）の動作を制御する。送信機制御モジュール２４６は、セクター送信機モジュール（２０６、２０８）の動作を制御する。Ｉ／Ｏインタフェース制御モジュール２４８は、Ｉ／Ｏインタフェース２１２の動作を制御する。
【００２６】
データ／情報２３６は、生成されたビーコン／広帯域同期化多シンボルコンポジット信号情報２５０と、生成されたユーザーデータシンボル信号情報２５２と、システムデータ／情報２５４と、無線端末データ情報２５６と、を含む。システムデータ／情報２５４は、タイミング／周波数構造情報２５８と、電力スケーリング情報２６０と、ビーコン情報２６２と、広帯域同期化信号情報３６４と、多ＯＦＤＭシンボルコンポジット信号情報２６８と、を含む。ＷＴデータ情報２５６は、複数の組のＷＴデータ／情報（ＷＴ１データ／情報２８０、..、ＷＴＮデータ／情報２８２）を含み、各組のＷＴデータ情報は、基地局２００アタッチメントポイントを用いるＷＴに対応する。
【００２７】
生成されたビーコン／広帯域同期化多シンボルコンポジット信号情報２５０は、生成された多シンボルビーコン／広帯域同期化コンポジット信号に関連する情報、例えば、生成された信号及び／又は生成された信号の一部分を表す情報、例えば、サイクリックプリフィックス部分、本体部分及び拡張部分を表す情報を含む。
【００２８】
生成されたユーザーデータシンボル信号情報２５２は、生成されたユーザーデータシンボルに関連する情報を含む。例えば、情報２５２は、サイクリックプリフィックス部分を表す情報と、本体部分を表す情報と、を含む。
【００２９】
タイミング／周波数構造情報２５８は、ダウンリンク及びアップリンクタイミング及び周波数構造情報を含む。ダウンリンクタイミング及び周波数構造情報は、各基地局セクター送信機モジュールによって用いられるダウンリンクトーンブロック、用いられるダウンリンクトーン数、チャネルセグメント構造、トーンホッピング情報、各基地局セクター送信機モジュールによって用いられる反復的タイミング構造を識別する、例えばタイミング構造内のどの時点において多シンボルＯＦＤＭビーコン／広帯域同期化コンポジット信号を送信すべきか及びどの時点でＯＦＤＭユーザーデータシンボルを送信すべきかを識別する、情報を含む。幾つかの実施形態においては、同じ基地局アタッチメントポイント送信機が、情報２５８において示されるように反復的ダウンリンク構造内の異なる時点において複数の異なるビーコン／広帯域同期化コンポジット信号を送信する。電力スケーリング情報２６０は、ビーコン信号と関連づけられた電力レベルを識別する情報と、非ヌルトーン広帯域同期化信号トーンと、ユーザーデータ信号と、制御データ信号と、パイロットトーン信号と、を含む。ビーコン情報２６２は、ビーコントーン情報２７０と、ビーコントーン部分組情報２７２と、を含む。ビーコントーン情報２７０は、ダウンリンクトーンブロック内のいずれのトーンを、反復的ダウンリンクタイミング構造内の指定場所においていずれのセクター送信機モジュールによってビーコントーンとして用いるべきかを識別する情報と、ビーコントーンに関して搬送すべき変調信号値を識別する情報と、を含む。ビーコントーン部分組の情報２７２は、可能なビーコントーンの部分組を識別する情報を含み、例えば、１１３のトーンから成るダウンリンクトーンブロックは、各々が１２のトーンから成る３つの部分組に再分割された３６のビーコントーンを含む。広帯域同期化信号情報２６４は、ダウンリンクトーンブロック内のいずれのトーンを、ダウンリンクタイミング構造内の指定位置においていずれのセクター送信機モジュールによって非ヌル広帯域同期化信号トーンとして用いるべきかを識別する情報と、非ヌル広帯域同期化信号トーンの各々に関して搬送すべき変調信号値を識別する情報と、を含む。多シンボル信号情報２６８は、多シンボルコンポジット信号を生成する際に用いられる情報、例えば、サイクリックプリフィックス部分の継続時間、本体部分の継続時間を含む情報、拡張部分を生成するために用いられる公式を含む情報、を含む。広帯域同期化信号情報２６４は、ビーコントーン／広帯域同期化信号シーンマスクマッピング情報２７４、例えば図１５の情報と、ビーコントーン／広帯域同期化マスク変調シンボル値マッピング情報２７６、例えば図１６の情報と、ビーコントーン／広帯域同期化信号ヌルトーンマッピング情報２７８と、を含む。幾つかの実施形態においては、コンポジット信号内の広帯域同期化信号のヌルトーンは、デフォルト時には、ビーコントーン又はトーン（複数）として指定されずさらに広帯域同期化信号の非ヌルトーンとして指定されないダウンリンクトーンブロックのトーンである。幾つかの実施形態においては、コンポジット信号のトーンは、ビーコン信号トーン又はトーン（複数）と、非ヌル広帯域同期化信号トーンと、ヌル広帯域同期化信号トーンと、を含むが、ダウンリンクトーンブロックの完全な組のトーンは含まず、例えばその他の幾つかのトーンは、制御情報を通信するために用いられる。
【００３０】
ＷＴデータ情報から成る各々の組（２８０、２８２）は、ユーザーデータと、識別情報と、ユーザー／デバイス／セッション／資源情報と、を含む。ユーザーデータは、例えば、ピアノードとの通信セッションにおいて無線端末によって送信及び／又は受信される音声データ、オーディオデータ、画像データ、テキストデータ、ファイルデータ、等を含む。ユーザーデータは、ＯＦＤＭユーザーデータシンボルを用いてＷＴに割り当てられたダウンリンクトラフィックチャネルセグメントを介してＷＴに送信されるべきダウンリンクユーザーデータを含む。識別情報は、アタッチメントポイントセクター及び／又はＷＴ接続と関連づけられたトーンブロックを識別する情報と、ＷＴ識別子と、アドレスと、基地局によって割り当てられたユーザー識別子、例えばアクティブユーザー識別子、と、を含む。ユーザーデバイス／セッション／資源情報は、デバイス制御パラメータに関連する情報と、ピアノード情報と、アドレス情報と、セッション確立及び維持情報と、エアリンク資源情報、例えばＷＴに割り当てられたアップリンク及び／又はダウンリンクセグメント、と、を含む。
【００３１】
図３は、様々な実施形態により実装される典型的無線端末器３００、例えばモバイルノード、を示す。典型的無線端末３００は、図１の典型的システム１００の典型的無線端末、例えば、ＥＮ１３６、１３８、１４４、１４６、１５２、１５４、１３６’、１３８’、１４４’、１４６’、１５２’、１５４’のうちのいずれかであることができる。典型的無線端末３００は、様々な要素がデータ及び情報を交換することができるバス３１２を介してひとつに結合された受信機モジュール３０２と、送信機モジュール３０４と、プロセッサ３０６と、ユーザーＩ／Ｏデバイス３０８と、メモリ３１０と、を含む。
【００３２】
無線端末３００は、受信機モジュール及び送信機モジュール３０２、３０４にそれぞれ結合された受信機アンテナ及び送信機アンテナ３０３、３０５を含む。無線端末受信機モジュール３０２は、（ｉ）初期ＯＦＤＭシンボル及び拡張ＯＦＤＭシンボルを含む多シンボルＯＦＤＭビーコン／広帯域同期化コンポジット信号と、（ｉｉ）ユーザーデータ、制御データ、及び／又はパイロット信号を含むユーザーデータＯＦＤＭシンボルと、を含むダウンリンク信号をアンテナ３０３を介して受信する。ＷＴ送信機３０４は、例えばアクセス信号と、ハンドオフ信号と、制御信号と、ユーザーデータ信号と、を含むアップリンク信号を基地局に送信する。幾つかの実施形態においては、受信機及び送信機に関して単一のアンテナが例えばデュプレックスモジュールと組み合わせて用いられる。受信機モジュール３０２は、復号器３１８を含み、他方、送信機モジュール３０４は、符号器３２０を含む。ユーザーＩ／Ｏデバイス３０８、例えばマイク、キーパッド、キーボード、カメラ、マウス、スイッチ、スピーカー、ディスプレイ、等は、ＷＴ３００のユーザーがユーザーデータを入力すること、ユーザーデータを出力すること、アプリケーションを制御すること、及び無線端末の少なくとも幾つかの動作を制御する、例えば通信セッションを開始すること、を可能にする。
【００３３】
メモリ３１０は、ルーチン３１４と、データ／情報３１６と、を含む。プロセッサ３０６、例えばＣＰＵ、は、メモリ３１０内に格納された１つ以上のルーチン３１４の制御下にあり、データ／情報３１６を用いて、無線端末３００を動作させ、方法のステップの実装を制御させる。無線端末の動作を制御するために、ルーチン３１４は、通信ルーチン３２２と、無線端末制御ルーチン３２４と、を含む。通信ルーチン３２２は、無線端末３００によって用いられる様々な通信プロトコルを実装する。
【００３４】
無線端末制御ルーチン３２４は、多シンボルコンポジット信号モジュール３２６と、広帯域同期化信号決定モジュール３２８と、比較モジュール３３０と、受信機タイミング調整モジュール３３２と、受信機周波数調整モジュール３３４と、チャネル推定モジュール３３６と、ハンドオフ制御モジュール３３８と、ユーザーデータシンボルモジュール３４０と、を含む。多シンボルコンポジット信号モジュール３２６は、ビーコン信号検出モジュール３４２と、コンポジット信号復元モジュール３４４と、ビーコン信号識別モジュール３４８を含むビーコン信号測定及び評価モジュール３４６と、受信された広帯域同期化信号測定モジュール３５０と、を含む。ビーコン信号検出モジュール３３４は、例えば複数の基地局セクター送信機からのビーコン信号を検出するために用いられる。ビーコン信号検出モジュール３３４は、ビーコントーン信号の相対的に高いトーン当たり送信電力レベルに基づいてビーコンを検出する。コンポジット信号復元モジュール３３４は、コンポジット信号であって、ビーコン信号と対応する広帯域同期化信号とを含むコンポジット信号、を復元するために用いられる。ビーコン信号測定及び評価モジュール３４６は、受信されたビーコン信号のエネルギーレベル及び／又は強度を測定し、その他の受信されたビーコン信号に関するビーコン信号を評価する。ビーコン信号識別モジュール３４８は、例えばビーコン信号のトーン又はトーン（複数）に基づいて、複数の可能なビーコン信号の中からビーコン信号を識別する。例えば、ビーコン情報３８６は、図１４に示されるように、３６の可能な単一ビーコン信号を識別する情報を含むことができ、ビーコンＩＤモジュールは、受信されたビーコントーンを３６の可能なビーコントーンのうちの１つとマッチングする。受信された広帯域同期化信号測定モジュール３５０は、広帯域同期化信号に対応する受信されたコンポジット信号の成分を測定し、受信された広帯域同期化信号の特徴を表す情報を入手する。
【００３５】
広帯域同期化信号決定モジュール３２８は、ビーコンＩＤモジュール３４８からのビーコン識別情報及び広帯域同期化信号情報３８８を用いて、対応する既知の広帯域同期化信号、例えば対応する既知の広帯域同期化信号のトーン、いずれのトーンがヌルトーンであるか、いずれのトーンが非ヌルトーンであるか、及び非ヌルトーンの変調シンボル値を決定する。比較モジュール３３０は、モジュール３５０から出力された情報によって表される受信された広帯域同期化信号を、モジュール３２８から出力された情報によって表される決定された既知の広帯域同期化信号と比較する。比較モジュール３３０は、相関動作を行う相関モジュール３５２を含む。
【００３６】
受信されたタイミング調整モジュール３３２は、比較モジュール３３０の結果を含む情報を用いてタイミング調整制御信号情報３６８を決定し、受信機３０２のタイミング調整を制御する。受信された周波数調整モジュール３３４は、比較モジュール３３０の結果及びビーコン信号測定及び評価モジュール３４６からの結果のうちの少なくとも１つを含む情報を用いて、周波数調整制御信号情報３７０を決定し、受信機３０２の周波数調整を制御する。
【００３７】
チャネル推定モジュール３２６は、モジュール３５０からの受信された広帯域同期化信号情報及びモジュール３２８からの決定された既知の広帯域同期化信号情報の両方を用いてチャネル推定値を生成する。チャネル推定モジュール３２６は、決定された既知の広帯域同期化信号と受信された広帯域同期化信号との間の差を決定する差決定モジュール３５４を含む。
【００３８】
ハンドオフ制御モジュール３３８は、例えばトーンブロックと関連づけられた１つの基地局セクターからトーンブロックと関連づけられた他の基地局セクターにアタッチメントポイントを変更するために用いられ、ハンドオフ制御モジュール３３８は、受信機タイミング調整モジュール３３２及び／又は受信機周波数調整モジュール３３４によって供給される情報を用いてハンドオフプロセスにおける適切な時点に送信機３０４タイミング及び／又は周波数の調整を制御する。さらに、ハンドオフ制御モジュール３３８は、新しいアタッチメントポイントに対応する広帯域同期化信号情報に基づいてチャネル推定値を用いて、チャネル推定値を生成するために用いられた広帯域同期化信号が送信されたポイントにアタッチするときに用いられる他のチャネル推定値３７４を初期設定する。
【００３９】
ユーザーデータシンボルモジュール３３２は、受信されたユーザーデータＯＦＤＭシンボルを処理する、例えば、受信されたユーザーデータ情報及び／又はパイロット信号情報を抽出する。復元された受信されたＯＦＤＭユーザーデータシンボルの一部は、無線端末３００に向けられたユーザーデータ及び／又は無線端末３００に関連する制御データを含み、ＷＴ３００は、該通信されたデータを復元する。例えば、復元されたＯＦＤＭユーザーデータシンボルは、ＷＴ３００に割り当てられたダウンリンクトラフィックチャネルセグメントの一部分を含むことができ、ＷＴは、ダウンリンクトラフィックチャネルセグメントの一部分の変調シンボルと関連づけられたビットを復元する。
【００４０】
データ／情報３１６は、ユーザー／デバイス／セッション／資源情報３５６、例えばユーザー情報、デバイス情報、ＷＴ３００状態情報、ピアノード情報、アドレッシング情報、ルーティング情報、セッションパラメータ、エアリンク資源情報、例えばＷＴ３００に割り当てられたアップリンク及びダウンリンクチャネルセグメントを識別する情報、を含む。ユーザー／デバイス／セッション／資源情報３５６は、方法及び／又はデータ構造を実装するためにアクセス及び使用することができる。データ／情報３１６は、複数の組のシステム基地局情報（ＢＳ１セクター１データ／情報３７６、．．．、ＢＳ１セクターＮデータ／情報３７８、ＢＳ  Ｍセクター１データ／情報３８０、．．．、ＢＳ  ＭセクターＮデータ／情報３８２）を含むシステムデータ／情報３５８も含む。ＢＳ１セクター１データ／情報３７６は、タイミング／周波数構造情報３８４と、ビーコン情報３８６と、広帯域同期化信号情報３８８と、を含む。データ／情報３１６は、端末ＩＤ３６０、例えばＢＳによって割り当てられた無線端末識別子、例えば現在のアタッチメントポイントに関連しさらにその他の基地局にも関連するタイミング情報３６２、及び基地局識別情報３６４、例えば、現在のアタッチメントポイントのＩＤ及び受信されたビーコン信号と関連づけられた各々のＢＳセクターのＩＤ、も含む。データ／情報３１６は、ＷＴ３００と通信セッション中のＷＴ３００のピアノードから受信された及び／又は該ピアノードに送信されるデータ３６６、例えば音声データ、画像データ、オーディオデータ、テキストデータ、ファイルデータ、等のユーザーデータ、も含む。ユーザーデータは、ＷＴ３００に割り当てられたダウンリンクトラフィックチャネルセグメントの一部分に対応する受信されたＯＦＤＭユーザーデータシンボルから復元されたユーザーデータを含む。
【００４１】
データ／情報３１６は、タイミング調整制御信号情報３６８と、周波数調整制御信号情報３７０と、広帯域同期化信号３７２に基づくチャネル推定値と、新しいアタッチメントポイント３７４に関するチャネル推定値と、も含む。タイミング調整制御信号情報３６８は、受信機タイミング調整モジュール３３２の出力であり、ハンドオフ制御モジュール３３８による入力として用いられる。周波数調整制御信号情報３７０は、受信機周波数調整モジュール３３４の出力であり、ハンドオフ制御モジュール３３８によって入力として用いられる。広帯域同期化信号３７２に基づくチャネル推定値は、チャネル推定モジュール３３６の出力であり、ハンドオフ制御モジュール３３０への入力として用いられ、ハンドオフ制御モジュール３３０は、チャネル推定値３７２を用いて他の推定値、新しいアタッチメントポイント３７４に関するチャネル推定値を初期設定する。
【００４２】
図４乃至８は、様々な実施形態による典型的な直交周波数分割多重（ＯＦＤＭ）ダウンリンクタイミング構造を示す。図４の図２１００は、１６４１６のＯＦＤＭシンボル送信時間間隔の継続時間を有する典型的ウルトラスロット２１０２を示す。ウルトラスロット２１０２は、１８のビーコンスロット（ビーコンスロット０  ２１０４、ビーコンスロット１  ２１０６、．．．、ビーコンスロット１７  ２１０８）を含む。図５の図２２００は、９１２のＯＦＤＭシンボル送信時間間隔の継続時間を有する典型的ビーコンスロット２２０２を示す。ビーコンスロット２２０２は、図２１のビーコンスロット（２１０４、２１０６、．．．、２１０８）のうちのいずれかであることができる。ビーコンスロット２２０２は、８つのスーパースロット（スーパースロット０  ２２０４、スーパースロット１  ２２０６、．．．、スーパースロット７  ２２０８）を含む。図６の図２３００は、１１４のＯＦＤＭシンボル送信時間間隔の継続時間を有する典型的スーパースロット２３０２を示す。スーパースロット２３０２は、図５のスーパースロット（２２０４、２２０６、．．．、２２０８）のうちのいずれかであることができる。スーパースロット２３０２は、ストリップシンボル間隔０  ２３０４と、ストリップシンボル間隔１  ２３０６と、８つのロット（スロット０  ２３０８、スロット１  ２３１０、．．．、スロット７  ２３１２）と、を含む。図７の図２４００は、典型的ストリップシンボル間隔０  ２４０２及び典型的ストリップシンボル間隔１  ２４０４は各々がＯＦＤＭシンボル送信時間間隔の継続時間を有することを示す。典型的ストリップシンボル時間間隔（２４０２、２４０４）は、図６の典型的ストリップシンボル時間間隔（２３０４、２３０６）であることができる。図８の図２５００は、１４のＯＦＤＭシンボル送信時間間隔の継続時間を有する典型的スロット２５０２を示す。スロット２５０２は、図６のスロット（２３０８、２３１０、．．．、２３１２）のうちのいずれかであることができる。スロット２５０２は、１４の連続的するＯＦＤＭシンボル送信時間間隔（ＯＦＤＭシンボル送信時間間隔０  ２５０４、ＯＦＤＭシンボル送信時間間隔１  ２５０６、．．．、ＯＦＤＭシンボル送信時間間隔１３  ２５０８）を含む。
【００４３】
幾つかの実施形態においては、ストリップ間隔は、主に様々なブロードキャストシグナリングに関して用いられる。様々な実施形態においては、ストリップ間隔の少なくとも一部は、コンポジット信号であって、ビーコン信号と対応する広帯域同期化信号とを含むコンポジット信号、を搬送するために用いられる。幾つかの実施形態においては、ストリップ間隔は、どのようなダウンリンクユーザーデータも搬送しない。
【００４４】
図９は、様々な実施形態により実装される、基地局セクターからの典型的ビーコンシグナリングを示す図２６００である。図２６０２は、２つの連続するウルトラスロット（ウルトラスロット１  ２６０２、ウルトラスロット２  ２６０４）を示し、各々のウルトラスロットは、ウルトラスロット時間継続時間２６０３を有する。ウルトラスロット１  ２６０２は、１８のインデキシングされたビーコンスロット（ビーコンスロット０  ２６０６、ビーコンスロット１  ２６０８、．．．、ビーコンスロット１７  ２６１０）を含む。各々のビーコンスロット（２６０６、２６０８、．．．、２６１０）は、対応するビーコン信号（ビーコン信号Ａ  ２６１２、ビーコン信号Ｂ  ２６１４、．．．ビーコン信号Ｒ  ２６１６）をそれぞれ含む。この典型的実施形態においては、ビーコンシグナリングのパターンは、第１のウルトラスロット２６０２及び第２のウルトラスロット２６０３に関して繰り返す。幾つかのその他の実施形態においては、ビーコンシグナリングのパターンは、異なる時間間隔で、例えばスーパーウルトラスロットに基づいて、繰り返すことができ、前記スーパーウルトラスロットは、複数のウルトラスロット、又はウルトラスロットの一部分を含む。連続するビーコン信号間の間隔は、ビーコンスロット時間継続時間２６０７である。この例においては、ビーコン信号は、各ビーコンスロットの第１のスーパースロットにおける２つのストリップ間隔中に送信される。
【００４５】
図１０は、様々な実施形態により実装される、基地局セクターからの典型的ビーコンシグナリングを示す図２７００である。図２７０２は、２つの連続するウルトラスロット（ウルトラスロット１  ２７０２、ウルトラスロット２  ２７０４）を示す。ウルトラスロット１  ２７０２は、１８のインデキシングされたビーコンスロット（ビーコンスロット０  ２７０６、．．．、ビーコンスロット１  ２７０８、．．．、ビーコンスロット１７  ２７１０）を含む。各々のビーコンスロット（２７０６、２７０８、．．．、２７１０）は、対応するビーコン信号（ビーコン信号Ａ  ２７１２、ビーコン信号Ｂ  ２７１４、．．．ビーコン信号Ｒ  ２７１６）をそれぞれ含む。ビーコンシグナリングのパターンは、この典型的実施形態においては、第１のウルトラスロット２７０２及び第２のウルトラスロット２７０４に関して繰り返す。連続するビーコン信号間の間隔は、ビーコンスロット時間継続時間２７０７である。ウルトラスロット１  ２７０２の第１のビーコン信号とウルトラスロット２  ２７０４の第１のビーコン信号との間の間隔は、ウルトラスロット時間継続時間２７０３である。この例においては、ビーコン信号は、各ビーコンスロットの第２スーパースロットにおける２つのストリップ間隔中に送信される。
【００４６】
図１１は、様々な実施形態により実装される、基地局セクターからの典型的ビーコンシグナリングを示す図２８００である。図２８０２は、２つの連続するウルトラスロット（ウルトラスロット１  ２８０２、ウルトラスロット２  ２８０４）を示す。ウルトラスロット１  ２８０２は、１８のインデキシングされたビーコンスロット（ビーコンスロット０  ２８０６、ビーコンスロット１  ２８０８、．．．、ビーコンスロット１７  ２８１０）を含む。各々のビーコンスロット（２８０６、２８０８、．．．、２８１０）は、対応するビーコン信号（ビーコン信号Ａ  ２８１２、ビーコン信号Ｂ  ２８１４、．．．ビーコン信号Ｒ  ２８１６）をそれぞれ含む。ビーコンシグナリングのパターンは、この典型的実施形態においては、第１のウルトラスロット２８０２及び第２のウルトラスロット２８０４に関して繰り返す。連続するビーコン信号間の間隔は、ビーコンスロット時間継続時間２８０７である。ウルトラスロット１  ２８０２の第１のビーコン信号とウルトラスロット２  ２８０４の第１のビーコン信号との間の間隔は、ウルトラスロット時間継続時間２８０３である。この例においては、ビーコン信号は、各ビーコンスロットの第３のスーパースロットにおける２つのストリップ間隔中に送信される。
【００４７】
図１２は、幾つかの実施形態による典型的なビーコン／広帯域同期化ブロードキャストコンポジットシグナリングを示す図である。図２９００は、コンポジットビーコン／広帯域同期化信号、いずれのトーンが典型的ビーコン信号に関して用いられるかを示す情報、いずれのトーンが典型的な対応する広帯域同期化信号に関する非ヌルトーンとして用いられているかを示す情報、及びいずれのトーンが広帯域同期化信号の意図的ヌルトーンであるかを示す情報を搬送するために用いられる典型的ストリップシグナリングセグメントを示す。縦軸２９０２は、ダウンリンクトーンブロックトーンインデックス数を示し、該ダウンリンクトーンブロックトーンインデックス数は、１１３の隣接トーンを識別し、トーンインデックス０乃至トーンインデックス１１２の範囲である。横軸２９０４は、ビーコン信号を含むスーパースロット内のＯＦＤＭ送信時間間隔を示し、０乃至１の範囲である。格子２９００内の各々の小さいブロックは、トーン−シンボルのダウンリンクエアリンク資源を表す。凡例２９０６は、（ｉ）図２９００内において典型的な完全陰影付きブロック２９０８によって表される、完全陰影付きトーン−シンボルは、ＰＢのトーン当たり送信電力レベルで送信されたビーコントーンであること、（ｉｉ）図２９００において対角線の陰影付きブロック２９１０によって表される、対角線陰影付きトーン−シンボルは、ＰＴＳのトーン当たり送信電力レベルで送信された広帯域同期化信号非ヌルトーンであって、ここでＰＢｄＢ＞ＰＴＳｄＢであること、及び（ｉｉｉ）図２９００において陰影なしのトーン−シンボルは、トーンが広帯域同期化信号の意図的ヌルトーンであり、そのトーンでは信号が送信されず、トーン当たり送信電力レベルは０であることを示すこと、を示す。
【００４８】
この例においては、トーンインデックス＝４は、  ビーコントーンであり、インデックス値＝｛２，３，５，８，１０，１３，１４，１６，１７，１８，１９，２０，２３，２６，２７，２９，３０，３２，３３，３６，３７，３９，４０，４２，４３，４５，４７，４８，５０，５４，５５，５９，６１，６４，６５，６８，６９，７１，７３，７５，７８，８３，８５，８６，８７，８９，９０，９１，９４，９５，９６，９７，１０１，１０６，１１０｝を有するトーンの組５５は、非ヌル広帯域同期化信号トーンを具備し、残りの５７のトーンは、広帯域同期化信号の意図的ヌルトーンであり、未使用状態のままである。
【００４９】
図２９５０は、図２９００において表されるのと同じコンポジットビーコン／広帯域同期化信号、及び非ゼロトーン−シンボルの各々に関する変調シンボル値情報及びシグナリング特性を搬送するために用いられる、図２９００の同じ典型的ストリップシグナリングセグメントを示す。縦軸２９０２は、ダウンリンクトーンブロックインデックス数を示し、該ダウンリンクトーンブロックインデックス数は、１１３の隣接トーンを識別し、トーンインデックス０乃至トーンインデックス１１２の範囲を有する。横軸２９０４は、ビーコン信号を含むスーパースロット内のＯＦＤＭ送信時間間隔を示し、０乃至１の範囲を有する。格子２９５０内の各々の小さいブロックは、トーン−シンボルのダウンリンクエアリンク資源を表す。凡例２９５６は、（ｉ）図２９５０において典型的ブロック２９５８によって表されるように、密度の小さい縦線及び横線の陰影を有するトーン−シンボルは、変調シンボル値（１，０）を含む第１のストリップ信号を搬送すること、（ｉｉ）図２９５０において典型的ブロック２９６０によって表されるような密度の大きい縦線及び横線の陰影を有するトーン−シンボルは、変調シンボル値（１，０）を含む第１のストリップ信号の周期的拡張を搬送すること、（ｉｉｉ）図２９５０において典型的ブロック２９６２によって表されるように、密度の小さい交差線の陰影を有するトーン−シンボルは、変調シンボル値（−１，０）を含む第１のストリップ信号を搬送すること、（ｉｖ）図２９５０において典型的ブロック２９６４によって表されるような大きい密度の交差線の陰影を有するトーン−シンボルは、変調シンボル値（−１，０）を含む第１のストリップ信号の周期的拡張を搬送すること、を示す。変調シンボル値（１，０）は、変調シンボル値（−１，０）と位相が１８０ずれている。
【００５０】
この例においては、トーンインデックス＝４は、ビーコントーンであり、変調シンボル値（１，０）を搬送し、インデックス値｛２，３，５，１３，１７，１８，２６，２９，３２，３６，４７，６８，６９，７３，７８，８５，８６，９０，９６，１０６｝を有するトーンは、各々、変調シンボル値＝（１，０）を搬送し、インデックス値｛８，１０，１４，１６，１９，２０，２３，２６，３０，３３，３７，３９，４０，４２，４３，４５，４８，５０，５４，５５，５９，６１，６４，６５，７１，７５，８３，８５，８７，８９，９１，９４，９５，９７，１０１，１１０｝を有するトーンは、各々、変調シンボル値＝（−１，０）を搬送する。
【００５１】
図１３は、幾つかの実施形態によるビーコン／広帯域同期化ブロードキャストコンポジットシグナリングの他の例を示す図である。図３０００は、コンポジットビーコン／広帯域同期化信号、いずれのトーンが典型的ビーコン信号に関して用いられるかを示す情報、いずれのトーンが典型的な対応する広帯域同期化信号に関する非ヌルトーンとして用いられているかを示す情報、及びいずれのトーンが広帯域同期化信号の意図的ヌルトーンであり従って未使用のままであるかを示す情報を搬送するために用いられる典型的ストリップシグナリングセグメントを示す。縦軸３００２は、ダウンリンクトーンブロックトーンインデックス数を示し、該ダウンリンクトーンブロックトーンインデックス数は、１１３の隣接トーンを識別し、トーンインデックス０乃至トーンインデックス１１２の範囲を有する。横軸３００４は、ビーコン信号を含むスーパースロット内のＯＦＤＭ送信時間間隔を示し、０乃至１の範囲を有する。格子３０００内の各々の小さいブロックは、トーン−シンボルのダウンリンクエアリンク資源を表す。凡例３００６は、（ｉ）図３０００において典型的な完全陰影付きブロック３００８によって表される、完全陰影付きトーン−シンボルは、ＰＢのトーン当たり送信電力レベルで送信されるビーコントーンであること、（ｉｉ）図３０００において対角線の陰影付きブロック３０１０によって表される、対角線陰影付きトーン−シンボルは、ＰＴＳのトーン当たり送信電力レベルで送信される非ヌル広帯域同期化トーンであって、ここでＰＢｄＢ＞ＰＴＳｄＢであること、及び（ｉｉｉ）図３０００において陰影なしのトーン−シンボルは、広帯域同期化信号の意図的ヌルトーンであり、そのトーンでは信号が送信されず、トーン当たり送信電力レベルは０であることを示すこと、を示す。
【００５２】
この例においては、トーンインデックス＝７は、  ビーコントーンであり、インデックス値＝｛１，２，９，１３，１４，１６，１８，１９，２０，２２，２８，２９，３１，３２，３３，３４，３９，４０，４１，４３，４４，４８，５０，５２，５３，５４，５７，５８，６１，６２，６３，６７，６９，７２，７３，７４，７５，７６，８１，８５，８６，８７，９０，９２，９５，９６，１００，１０１，１０２，１０４，１０５，１０７，１１０，１１１，１１２｝を有するトーンの組５５は、非ヌル広帯域同期化トーンを具備し、残りの５７のトーンは、未使用状態のままである広帯域同期化信号の意図的ヌルトーンを具備する。
【００５３】
図３０５０は、図３０００において表されるのと同じコンポジットビーコン／広帯域同期化信号、及び非ゼロトーン−シンボルの各々に関する変調シンボル値情報及びシグナリング特性を搬送するために用いられる、図３０００の同じ典型的ストリップシグナリングセグメントを示す。縦軸３００２は、ダウンリンクトーンブロックトーンインデックス数を示し、該ダウンリンクトーンブロックトーンインデックス数は、１１３の隣接トーンを識別し、トーンインデックス０乃至トーンインデックス１１２の範囲を有する。横軸３００４は、ビーコン信号を含むスーパースロット内のＯＦＤＭ送信時間間隔を示し、０乃至１の範囲を有する。格子３０００内の各々の小さいブロックは、トーン−シンボルのダウンリンエアリンク資源を表す。凡例３０５６は、（ｉ）図３０５０において典型的ブロック３０５８によって表されるように、密度の小さい縦線及び横線の陰影を有するトーン−シンボルは、変調シンボル値（１，０）を含む第１のストリップ信号を搬送すること、（ｉｉ）図３０５０において典型的ブロック３０６０によって表されるように、密度の大きい縦線及び横線の陰影を有するトーン−シンボルは、変調シンボル値（１，０）を含む第１のストリップ信号の周期的拡張を搬送すること、（ｉｉｉ）図３０５０において典型的ブロック３０６２によって表されるように、密度の小さい交差線の陰影を有するトーン−シンボルは、変調シンボル値（−１，０）を含む第１のストリップ信号を搬送すること、（ｉｖ）図３０５０において大きい密度の交差線の陰影を有するトーン−シンボルは、変調シンボル値（−１，０）を含む第１のストリップ信号の周期的拡張を搬送すること、を示す。変調シンボル値（１，０）は、変調シンボル値（−１，０）と位相が１８０ずれている。
【００５４】
この例においては、トーンインデックス＝７は、ビーコントーンであり、変調シンボル値（１，０）を搬送し、インデックス値｛１，９，１３，１４，１６，２０，２８，２９，３１，３３，４０，４１，５２，５７，５８，６１，６９，７２，７４，７６，８１，８６，９５，９６，１０１，１０４，１０７，１１１，１１２｝を有するトーンは、各々、変調シンボル値＝（１，０）を搬送し、インデックス値｛２，１８，１９，２２，３２，３４，３９，４３，４４，４８，５０，５３，５４，６２，６３，６７，７３，７５，８５，８７，９０，９２，１００，１０２，１０５，１１０｝を有するトーンは、各々、変調シンボル値＝（−１，０）を搬送する。
【００５５】
図１４は、幾つかの実施形態において用いられるビーコンシグナリングの特長を示す。図１４の例においては、図３９００は、ビーコントーンはトーンブロックの３６の特定のインデキシングされたトーン上に存在することができるがその他の７７トーン上では生じないことを識別する１１３のトーン（トーンインデックス０、トーンインデックス１、．．．、トーンインデックス１１２）から成る典型的ダウンリンクトーンブロックを含む。幾つかの実施形態においては、ビーコン信号は、３６トーンから成る組からの１つを用いる。さらに、様々な実施形態においては、異なる可能なビーコントーンが３つの部分組にさらにパーティショニングされ、例えば、３６の異なる可能なビーコントーンは、各々が１２トーンから成る３つの部分組にパーティショニングされる。可能なビーコントーンを部分組にこのようにさらに分割することは、幾つかの実施形態においては、基地局アタッチメントポイントによって使用中である反復的ダウンリンクタイミング構造における特定の時点におけるアタッチメントポイントからの可能なビーコントーンをさらに区別するために用いられる。凡例３９０２は、ブロック例３９０４によって示されるように、第１のビーコントーン部分組の構成ビーコントーンは交差陰影によって示されることを識別する。インデックス値｛４，１３，２２，３１，４０，４９，５８，６７，７６，８５，９４，１０３｝を有するトーンは、第１の部分組に対応する。凡例３９０２は、ブロック例３９０６によって示されるように、第２のビーコントーン部分組の構成ビーコントーンは縦線の陰影によって示されることを識別する。インデックス値｛７，１６，２５，３４，４３，５２，６１，７０，７９，８８，９７，１０６｝を有するトーンは、第２の部分組に対応する。凡例３９０２は、ブロック例３９０８によって示されるように、第３のビーコントーン部分組の構成ビーコントーンは対角線の陰影によって示されることを識別する。インデックス値｛１０，１９，２８，３７，４６，５５，６４，７３，８２，９１，１００，１０９｝を有するトーンは、第２の部分組に対応する。３６のビーコントーンの組の隣接するビーコントーンは、３つのトーンによって分離されることに注目すべきである。この意図的間隔は、ビーコントーンを受信する無線端末がビーコン信号を検出して受信されたビーコン信号をビーコントーンと関連づけることができるように送信基地局に関して精密に周波数同期化する必要がないため、より簡単なビーコン検出を容易にする。例えば、幾つかの実施形態においては、受信されたビーコントーンを意図されるトーンインデックス値と正確に関連づける上では、１つのトーン未満の間隔の周波数同期化レベルで十分である。
【００５６】
幾つかの実施形態においては、各ビーコントーンは、一意の広帯域同期化信号、例えば、予め決められた非ゼロ変調シンボル値及び予め決められた意図的ヌルトーンを搬送する予め決められた非ヌルトーンを含む一意の信号、と対にされる。例えば、１１３トーンから成るトーンブロックを有する一実施形態においては、単一のビーコントーンが５４又は５５の非ヌル広帯域同期化トーンと対にされる。幾つかの該実施形態においては、コンポジットビーコン／広帯域同期化信号に関するトーンブロックのその他のトーンは、意図的にヌルに設定される。例えば、１１３トーンから成る典型的トーンブロックにおいては、５８又は５７トーンを意図的ヌルトーンにすることができる。さらに、幾つかの実施形態においては、ビーコン及び非ヌル広帯域同期化信号トーンは、固定された送信電力関係レベルを有する。幾つかの実施形態においては、第１のＯＦＤＭストリップシンボル送信時間間隔内のビーコントーンシンボル信号は、変調シンボル値（１，０）を有し、対応するタイミング及び非ヌルトーンに対応する同期化信号の各々は、（１，０）又は（−１，０）の変調信号値を有する。
【００５７】
幾つかのその他の実施形態においては、ビーコンシグナリング中に、ビーコン信号トーン、対応する非ヌル広帯域同期化信号トーン、及び意図的ヌルトーンの組合せは、基地局アタッチメントポイントに対応するダウンリンクトーンブロックの一部分、例えば大部分、を占め、ダウンリンクトーンブロックの少なくとも一部のトーンは、その他の目的のために、例えばその他の制御信号情報を通信するために、同時である。
【００５８】
前述されるように、許容されたビーコントーンの各々は、特定の広帯域同期化シグナリングパターンと関連づけることができる。図１５Ａ、図１５Ｂ及び図１５Ｃの組合せを具備する図１５は、３６の可能なビーコントーンの各々を、１１３トーンから成るトーンブロック内のその他の５５トーンのうちのいずれのトーンが非ヌル広帯域同期化信号トーンとして用いられるかを識別するマスクと関連づけるテーブル４２００である。第１のカラム４２０２は、ビーコントーンを識別し、第２のカラム４２０４は、対応する広帯域同期化信号トーンマスクを識別する。トーンマスクは、１１３の要素のバイナリベクトルであり、その要素の各々は、対応するトーンが５５の非ヌル広帯域同期化信号トーンのうちの１つであるかどうかを示す要素マスクである。所定のビーコントーンに関して、対応するマスク内の第１の要素は、左上隅の要素であり、インデックス＝０を有するトーンに対応する。インデキシングは、第１のローに沿って左から右に進み、次に、第２のローに沿って左から右に進み、次に、第３のローに沿って左から右に進み、トーンブロック内のトーンインデックス１１２に対応する最後のマスク要素に達するまで続く。トーンマスク値＝１は、広帯域同期化信号がそのトーンを非ヌルトーンとして用いることを示し、０の値は、そのトーンが広帯域同期化信号の非ヌルトーンでないことを示す。幾つかの実施形態においては、０値によって識別されたトーンの各々は、所定のトーンインデックスが対応するビーコントーンインデックスに対応しないかぎり広帯域同期化信号の意図的ヌルトーンである。幾つかの実施形態においては、所定のトーンが非ヌル広帯域同期化信号トーンとして識別されるが、該トーンがＤＣトーンに対応する場合は、該トーンも意図的にヌル化される。
【００５９】
図１６Ａ及び図１６Ｂの組合せを具備する図１６は、３６の可能なビーコントーンの各々を、一組の５５の変調シンボル値と関連づけるテーブル４３００である。第１のカラム４３０２は、ビーコントーンを識別し、第２のカラム４３０４は、対応する一組の広帯域同期化信号非ヌルトーン値を識別し、ここで、１は、（−１，０）の変調シンボル値を表し、０は、（１，０）の変調シンボル値を識別する。テーブル４２においてマスク値＝１によって識別されるトーンに対応する広帯域同期化信号の各変調シンボル値は、テーブル４２において示される順序である。
【００６０】
前述される図１２は、ビーコントーンがトーンインデックス＝４を有する典型的事例に関して図１５及び１６のテーブルからの情報を用いてコンポジットビーコン／広帯域同期化信号を構築する例である。前述される図１３は、ビーコントーンがトーンインデックス＝７を有する典型的事例に関して図１５及び１６のテーブルからの情報を用いてコンポジットビーコン／広帯域同期化信号を構築する例である。
【００６１】
図１７及び１８は、典型的実施形態による典型的ＯＦＤＭビーコン信号１７１２／広帯域同期化信号１７１３の組合せを示す。図１７は、縦軸１７０２が周波数、横軸１７０４が時間の図１７００である。例えば典型的通信帯域に関する利用可能な帯域幅１７０６は、周波数ｆ０１７０８乃至周波数ｆ２  １７１０の範囲を網羅する。典型的ビーコン信号１７１２、例えば単一トーン、は、周波数ｆ１  １７１４であり、２つのＯＦＤＭシンボル送信期間１７１６の継続時間を有する。典型的広帯域同期化信号１７１３は、ビーコントーンを除くｆ０  １７０８乃至ｆ２  １７１０の周波数帯域の重要部分を占めることができ、同じく２つのＯＦＤＭシンボル送信期間の継続時間を有する。ビーコントーンは、対応する広帯域同期化信号と対であり、対応する広帯域同期化信号は、予め決められたヌルトーンと、非ゼロの予め決められた変調シンボル信号値を搬送する予め決められた非ヌルトーンと、を含む。ビーコントーンと対応する広帯域同期化信号の各対は、一意のビーコントーンと、一意の広帯域同期化信号と、を含む。好ましいことに、典型的広帯域同期化信号１７１３は、同時に送信されて非ゼロ変調シンボル値を搬送する複数のトーンを含む多トーン信号である。非ゼロ変調シンボル値を搬送する広帯域同期化信号のトーン数は、少なくとも１０又は２０である。幾つかの場合においては、非ゼロ変調シンボル値を搬送する広帯域同期化信号のトーン数は、５０乃至６０の間、例えば５５、であることができる。非ゼロ変調シンボル値を搬送する広帯域同期化信号のトーン数は、トーンブロック内の総トーン数の１／２に近いことが好ましい。非ゼロ変調シンボル値を搬送する典型的広帯域同期化信号内のトーンは、必ずしも隣接しないことに注目すること。例えば、すべての利用可能なトーンは、０、１、２、．．．、Ｎ−１がインデキシングされ、ここで、Ｎは総トーン数である。例えば、Ｎ＝１１３である。各トーンは、トーン周波数に対応する。典型的ビーコントーンは、高電力の変調シンボルが送信されるトーンインデックス＝４０を有し、典型的広帯域同期化信号は、非ゼロ変調シンボル値がより低い電力レベルで送信されるトーン０、１、３、５、７、８、９、１１、１３、１４、１５、２０、２５、２６、２９、３０、３１、３３、３５、３６、３８、４３、４５、４６、４８、５０、５３、５４、５７、６０、６３、６６、６９、７０、７２、７４、７５、７６、７９、８３、８５、８７、８９、９１、９３、９４、９５、９６、９８、１０３、１０４、１０６、１０７、１０８、１０９、及び、エネルギーが意図的に送信されないトーン２、４、６、１０、１２、１６、１７、１８、１９、２１、２２、２３、２４、２７、２８、３２、３４、３７、３９、４１、４２、４４、４７、４９、５１、５２、５５、５６、５８、５９、６１、６２、６４、６５、６７、６８、７１、７３、７７、７８、８０、８１、８２、８４、８６、８８、９０、９２、９７、９９、１００、１０１、１０２、１０５、１１０、１１１、１１２を含む。トーン（０、１、３、５、７、８、９、１１、１３、１４、１５、２０、２５、２６、２９、３０、３１、３３、３５、３６、３８、４３、４５、４６、４８、５０、���３、５４、５７、６０、６３、６６、６９、７０、７２、７４、７５、７６、７９、８３、８５、８７、８９、９１、９３、９４、９５、９６、９８、１０３、１０４、１０６、１０７、１０８、１０９）は、この例においては、変調シンボル値（（−１、０）、（−１、０）、（−１，０）、（１、０）、（−１、０）、（１、０）、（−１、０）、（−１、０）、（１、０）、（１、０）、（−１、０）、（−１、０）、（−１、０）、（１、０）、（１、０）、（１、０）、（−１、０）、（−１、０）、（１、０）、（１、０）、（−１、０）、（−１、０）、（−１、０）、（−１、０）、（−１、０）、（１、０）、（１、０）、（−１、０）、（１、０）、（１、０）、（−１、０）、（−１、０）、（１、０）、（−１、０）、（−１、０）、（−１、０）、（１、０）、（１、０）、（１、０）、（−１、０）、（−１、０）、（１、０）、（−１、０）、（−１、０）、（−１、０）、（１、０）、（−１、０）、（−１、０）、（−１、０）、（−１、０）、（−１、０）、（１、０）、（１、０）、（１、０）、（１、０））をそれぞれ搬送する。様々な実施形態においては、ＤＣトーン、例えば、広帯域同期化信号の一部として非ゼロ変調シンボル値を搬送するために０乃至１１２の範囲のインデックスを有するトーンブロック内のインデックス＝５６を有するトーン、が割り当てられる場合は、ＤＣトーンではエネルギーは送信されず、例えば、ＤＣトーンは、ヌルとして扱われる。
【００６２】
図１８は、ビーコン信号１７１２及び広帯域同期化信号１７１３が送信される時間中における電力を縦軸１８０２、周波数を横軸１８０４に示した図である。基地局送信機送信電力は、周波数ｆ１１７１４における高電力ビーコン信号１７１２に集中される。しかしながら、広帯域同期化信号１７１３は、それよりもはるかに低い電力レベルで並行して送信される。図１７及び１８のブロードキャスト信号に関しては、ビーコン信号成分１７１２は、ＷＴ受信機によって簡単に検出、及び識別することができ、他方、広帯域同期化信号１７１３は、ＷＴが適切なアクセス時に識別されたＢＳと通信できるようにＷＴによってタイミング同期化が達成されることを可能する。
【００６３】
図１９は、典型的な基本的実施形態における典型的なビーコン／広帯域同期化コンポジット信号を示した図１９００である。ビーコン／広帯域同期化コンポジット信号は、コンポジット信号を受信中の無線端末が基地局送信機に関して精密にタイミング及び／又は周波数同期化されていないときでも簡単な検出及び素早いチャネル推定を容易にする。典型的ダウンリンクトーンブロックは、（０、１、２、．．．、１０）とインデキシングされた１１のＯＦＤＭトーンを具備する。ビーコン／広帯域同期化コンポジット信号は、反復的ダウンリンクタイミング構造において予め決められた時間中に２つの連続するＯＦＤＭシンボル送信時間間隔にわたって通信される。ビーコン／広帯域同期化信号の組合せは、サイクリックプリフィックスによって先行される本体部分を含む第１のＯＦＤＭシンボル送信時間間隔中のＯＦＤＭシンボルと、第２のＯＦＤＭシンボル送信期間中における周期的拡張シンボルと、を含む。この拡張部分は、無線端末が送信機に関してサイクリックプリフィックス継続時間内まで同期化されていないときの情報復元を容易にする。トーンは、コンポジットビーコン／タイミング同期化信号の２つの連続するＯＦＤＭシンボル送信期間の間において意図的にホップされない。対照的に、トラフィックチャネルユーザーデータを含む情報を搬送するＯＦＤＭシンボルは、より従来的な実装に従う。すなわち、ユーザーデータＯＦＤＭシンボルは、単一のＯＦＤＭシンボル送信期間を占め、サイクリックプリフィックスによって先行される本体部分を含み、幾つかの実施形態においては、トーンは、１つのＯＦＤＭシンボルから次のＯＦＤＭシンボルにホップされる。この典型的実施形態に関するコンポジットビーコン／タイミング同期化信号は、ビーコンに割り当てられた１つのトーンと、広帯域同期化信号の非ゼロ変調シンボルを搬送するために割り当てられた一組のトーン、例えば５トーン、と、広帯域同期化信号の一部として意図的ヌルになるために割り当てられる一組のトーン、例えば５つのトーン、とを含み、前記割り当ては、２つの連続するＯＦＤＭシンボル送信期間の継続時間の間である。
【００６４】
図１９０２は、典型的なビーコン／タイミング同期化コンポジット信号１を示す。ビーコン／広帯域同期化コンポジット信号１  １９０２は、（ｉ）大きい矢印によって示されるようにビーコン信号の変調シンボルを通信するためのトーン２、（ｉｉ）広帯域同期化信号の非ゼロ変調シンボルを搬送するためのトーン１、３、５、７、及び９、及び（ｉｉｉ）広帯域同期化信号の意図的ヌルトーンになるためのトーン０、４、６、８、及び１０を用いる。ビーコン信号と関連づけられたトーン当たり送信電力レベルは非ゼロ広帯域同期化信号トーンと関連づけられた平均トーン当たり送信電力レベルよりも例えば３ｄＢ以上高いことを示すために、ビーコントーンと関連づけられた矢印の大きさは、広帯域同期化信号の非ゼロ変調シンボルトーンと関連づけられた矢印の大きさよりも大きい。さらに、トーンと関連づけられた矢印の方向は、そのトーンによって搬送中の変調シンボルの位相を示す。例えば、トーン１、２、及び７は、（１，０）の変調シンボル値を搬送し、トーン３、５、９は、（−１，０）の変調シンボル値を搬送する。
【００６５】
図１９０４は、典型的なビーコン／広帯域同期化コンポジット信号２を示す。ビーコン／広帯域同期化コンポジット信号２  １９０４は、（ｉ）大きい矢印によって示されるようにビーコン信号の変調シンボルを通信するためのトーン５、（ｉｉ）広帯域同期化信号の非ゼロ変調シンボルを搬送するためのトーン０、２、４、６、及び１０、及び（ｉｉｉ）広帯域同期化信号の意図的ヌルトーンになるためのトーン１、３、７、８、及び９を用いる。ビーコン信号と関連づけられたトーン当たり送信電力レベルは非ゼロ広帯域同期化信号トーンと関連づけられた送信電力レベルよりも例えば３ｄＢ以上高いことを示すために、ビーコントーンと関連づけられた矢印の大きさは、タイミング同期化信号の非ゼロ変調シンボルトーンと関連づけられた矢印の大きさよりも大きい。さらに、トーンと関連づけられた矢印の方向は、そのトーンによって搬送中の変調シンボルの位相を示す。例えば、トーン０、４、及び５は、（１，０）の変調シンボル値を搬送し、トーン２、６、１０は、（−１，０）の変調シンボル値を搬送する。
【００６６】
図１９０６は、典型的なビーコン／広帯域同期化コンポジット信号３を示す。ビーコン／広帯域同期化コンポジット信号３  １９０６は、（ｉ）大きい矢印によって示されるようにビーコン信号の変調シンボルを通信するためのトーン８、（ｉｉ）タイミング同期化信号の非ゼロ変調シンボルを搬送するためのトーン１、２、５、７、及び９、及び（ｉｉｉ）広帯域同期化信号の意図的ヌルトーンになるためのトーン０、３、４、６、及び１０を用いる。ビーコン信号と関連づけられた送信電力レベルは非ゼロ広帯域同期化信号トーンと関連づけられた送信電力レベルよりも例えば３ｄＢ以上高いことを示すために、ビーコントーンと関連づけられた矢印の大きさは、広帯域同期化信号の非ゼロ変調シンボルトーンと関連づけられた矢印の大きさよりも大きい。さらに、トーンと関連づけられた矢印の方向は、そのトーンによって搬送中の変調シンボルの位相を示す。例えば、トーン２、５、８、及び９は、（１，０）の変調シンボル値を搬送し、トーン１及び７は、（−１，０）の変調シンボル値を搬送する。
【００６７】
可能なビーコン／広帯域同期化信号コンポジット信号に関して選択されたビーコントーン（トーン２、５及び８）は隣接トーンを含まないことに注目すべきである。この例においては、ビーコントーンは、３トーンだけ間隔があけられ、従って、可能なビーコントーン間にはガードバンドが存在し、基地局送信機に関して精密に周波数同期化されていない無線端末は、依然として鮮明にビーコンを識別することができる。さらに、使用中の可能なビーコントーンの各々は、予め決められた変調シンボル値及び一意の一組のヌルトーンを搬送する一意の一組の非ヌルタイミング同期化トーンとマッチングされ、それによって素早いチャネル推定を容易にする。
【００６８】
図２０は、様々な実施形態による、通信デバイス、例えば基地局、を動作させる典型的方法の流れ図５０００である。典型的方法は、ステップ５００２において開始し、通信デバイスに電源が投入されて初期設定される。動作は、開始ステップ５００２からステップ５００４に進む。ステップ５００４において、通信デバイスは、第１のビーコン信号と第１の広帯域同期化信号を含む第１のコンポジット信号を送信するように動作され、前記第１の広帯域同期化信号は、第１の複数のトーンを含み、前記第１の複数のトーンは、少なくとも幾つかのヌルトーンと、少なくとも幾つかの低電力トーンと、を含み、前記低電力トーンは、前記第１のビーコン信号のあらゆるトーンのトーン当たり電力の１／２よりも低い平均トーン当たり電力を有する。様々な実施形態においては、典型的方法は、ステップ５００６及び５００８のうちの１つ以上を含む。
【００６９】
ステップ５００６を含む実施形態においては、動作は、ステップ５００４からステップ５００６に進む。例えば、幾つかの実施形態においては、通信デバイス送信機は、ビーコン信号に関して異なるトーン間で周波数ホップすることができる。ステップ５００６において、通信デバイスは、第１のビーコン信号を通信するために用いられない少なくとも１つのトーンを含む第２のビーコン信号と第２の広帯域同期化信号とを含む第２のコンポジット信号を送信するために動作され、前記第２の広帯域同期化信号は、第２の複数のトーンを含み、前記第２の複数のトーンは、少なくとも幾つかのヌルトーンと、少なくとも幾つかの低電力トーンと、を含み、前記低電力トーンは、前記第２のビーコン信号のあらゆるトーンのトーン当たり電力の１／２よりも低い平均トーン当たり電力を有し、前記第２のコンポジット信号を前記送信することは、前記第１のコンポジット信号の送信と重ならない期間中に行われる。例えば、前記第１のコンポジット信号は、第１のコンポジット信号に関して予約された第１のビーコンスロットの２つの連続するストリップシンボル間隔中に送信することができ、前記第２のコンポジット信号は、第２のコンポジット信号に関して予約された第２のビーコンスロットの２つの連続するストリップシンボル間隔中に送信することができ、前記第２のビーコンスロットは、第１のビーコンスロットに後続する。
【００７０】
ステップ５００８を含む実施形態においては、動作は、ステップ５００６からステップ５００８に進む。ステップ５００８において、通信デバイスは、複数の追加のコンポジット信号を送信するために動作され、各々の追加のコンポジット信号は、追加のビーコン信号と、追加の広帯域同期化信号と、を含み、各々の追加の広帯域同期化信号は、少なくとも幾つかのヌルトーンと、少なくとも幾つかの低電力トーンと、を含み、前記低電力トーンは、前記追加のビーコン信号のあらゆるトーンのトーン当たり電力の１／２よりも低い平均トーン当たり電力を有し、各々の追加のビーコン信号は、異なるトーンに対応し、各々の追加の広帯域同期化信号は、一意であり、前記追加のビーコン信号のうちの単一の追加のビーコン信号に対応する。
【００７１】
動作は、ステップ５００６及び／又はステップ５００８の追加又は省略に依存して、ステップ５００４、ステップ５００６、又はステップ５００８からステップ５００４に進み、ステップ５００４において、第１のコンポジット信号の送信を繰り返すために無線デバイスが動作される。
【００７２】
幾つかの実施形態においては、第１のビーコン信号は、多くとも２つのトーンを含む狭帯域信号である。幾つかの該実施形態においては、第１のビーコン信号は、単一トーン信号である。様々な実施形態においては、第１のコンポジット信号を送信するステップは、１つのシンボル送信期間よりも大きい期間中に第１のコンポジット信号を送信することを含む。例えば、第１のコンポジット信号は、幾つかの実施形態においては、第１のＯＦＤＭシンボル送信期間中における第１のＯＦＤＭシンボルを含む２つのＯＦＤＭシンボル送信期間幅の信号であり、前記第１のＯＦＤＭシンボルは、サイクリックプリフィックス部分と本体部分、及び第２のＯＦＤＭシンボル送信期間中の第２のＯＦＤＭシンボルを含み、前記第２のＯＦＤＭシンボルは、前記第１のＯＦＤＭシンボル本体部分の拡張、例えば継続、である。
【００７３】
様々な実施形態においては、第１の広帯域同期化信号は、少なくともＸのトーンを含み、前記第１の広帯域同期化信号に含まれる前記Ｘのトーンのうちの少なくとも１／４はヌルトーンであり、ここで、Ｘは、４よりも大きい正の整数である。幾つかの該実施形態においては、Ｘは、少なくとも２０である。例えば、１つの典型的実施形態においては、ダウンリンクトーンブロックは、１１３の隣接するトーンを含み、ビーコン信号は、１つのトーンであり、Ｘは、１１２であり、Ｘのトーンのうちの約１／２は、ヌルトーン、例えば５７又は５８のヌルトーンである。
【００７４】
様々な実施形態においては、第１の広帯域同期化信号は、第１の予め決められたパターンによる前記ヌルトーンが内在されている前記第１の広帯域同期化信号内の非ヌルトーンを含む。例えば、典型的実施形態においては、第１の広帯域同期化信号は、図１５のテーブル４２００のタイミング同期化トーンマスクのうちの１つに対応する。
【００７５】
幾つかの実施形態においては、第１の広帯域同期化信号内の非ヌルトーンは、変調シンボル値を通信する。幾つかの該実施形態においては、前記第１の広帯域同期化信号内の予め決められた変調シンボル値は、最高４つの異な予め決められた変調シンボル値のうちのいずれかであることができる。幾つかの実施形態においては、前記第１の広帯域同期化信号内の予め決められた変調シンボル値は、２つの異なる変調シンボル値のうちの１つである。例えば、典型的実施形態においては、第１の広帯域同期化信号は、図１６のテーブル４３００のタイミング同期化トーン組変調値情報組のうちの１つに対応し、ここで、非ヌルトーンの個々の変調シンボル値は、（−１、０）又は（１、０）のうちの１つである。幾つかの実施形態においては、ビーコン信号は、対応する広帯域同期化信号によって搬送される予め決められた変調シンボル値のうちの１つ、例えば変調シンボル値（１、０）、と同じである。
【００７６】
様々な実施形態においては、第１のコンポジット信号は、ＯＦＤＭ信号であり、前記第１のコンポジット信号は、ユーザーデータを通信するために用いられるＯＦＤＭシンボルからの異なるフォーマットを有する。例えば、第１のコンポジット信号は、幾つかの実施形態においては、２つの連続するＯＦＤＭシンボル送信期間を用いる信号であり、前記第１のコンポジット信号は、サイクリックプリフィックスと、本体部分と、拡張部分と、を含み、他方、ユーザーデータを通信するために用いられるＯＦＤＭシンボルは、１つのＯＦＤＭシンボル送信期間を使用し、サイクリックプリフィックスと、本体部分と、を含む。ビーコン信号の相対的に高いトーン当たり電力レベルは、ビーコン信号の検出及び識別を容易にする。第１のコンポジット信号の追加の拡張部分は、基地局送信機に関する無線端末の同期化レベルがサイクリックプリフィックス継続時間を超えるという条件の下で、第１のコンポジット信号の情報の復元を容易にする。従って、第１のコンポジット信号は、ＯＦＤＭシンボルを含むユーザーデータを成功裏に復元することができない無線端末によって成功裏に復元することができる。さらに、幾つかの該実施形態においては、トーンは、第１のコンポジット信号の連続するＯＦＤＭシンボル時間間隔の間ではホップされず、他方、トーンは、ユーザーデータを搬送するために使用中の２つの連続するＯＦＤＭシンボル間ではホップされる。
【００７７】
通信デバイス、例えば基地局、が第１及び第２のコンポジット信号を送信する幾つかの実施形態においては、第２の広帯域同期化信号は、第１の広帯域同期化信号の非ヌルトーンと同じであるが第１の広帯域同期化信号の少なくとも１つの非ゼロトーンにおいて通信される変調シンボルとは異なる変調シンボルを少なくとも１つの非ゼロトーンにおいて通信する非ヌルトーンを含む。様々な実施形態においては、第２の広帯域同期化信号に含まれる少なくとも幾つかの非ヌルトーンは、前記第１の広帯域同期化信号内の非ヌルトーンとは異なる。幾つかの実施形態においては、第１及び第２の広帯域同期化信号は、一意であり、第１及び第２のビーコンにそれぞれマッピングする。例えば、１つの典型的実施形態においては、第１のコンポジット信号は、図１４において識別される可能なビーコントーンのうちのいずれかの１つのビーコントーンを含み、第２のコンポジット信号は、図１４において識別されるビーコントーンのうちの異なる１つを含み、第１及び第２の広帯域同期化信号は、図１５及び１６に含まれる情報によって定義される。
【００７８】
図２１は、様々な実施形態による、無線通信デバイス、例えば無線端末、の典型的動作方法の流れ図５１００である。典型的方法の動作は、ステップ５１０２において開始し、無線通信デバイスに電源が投入されて初期設定される。動作は、開始ステップ５１０２からステップ５１０４に進む。ステップ５１０４において、無線通信デバイスは、ビーコン信号と広帯域同期化信号とを含む信号を受信する。様々な実施形態においては、受信されたビーコン信号は、多くとも２つのトーンを含む狭帯域信号である。幾つかの該実施形態においては、受信されたビーコン信号は、単一トーン信号である。動作は、ステップ５１０４からステップ５１０６に進む。ステップ５１０６において、無線通信デバイスは、受信されたビーコン信号を識別する。例えば、ビーコン信号は、システム内の基地局送信機によって使用中の可能なビーコン信号のうちの１つであることができる。１つの典型的実施形態においては、ビーコン信号は、図１４の３６の可能なビーコントーンのうちの１つを用いる高電力単一トーン信号である。次に、ステップ５１０８において、無線通信デバイスは、識別されたビーコン信号に対応する既知の広帯域同期化信号を決定する。例えば、無線通信デバイスは、図１５のテーブル４２００及び図１６のテーブル４３００において提供される情報により対応する既知の広帯域同期化信号を決定する。
【００７９】
動作は、ステップ５１０８からステップ５１１０に進む。ステップ５１１０において、無線通信デバイスは、受信された広帯域同期化信号と決定された既知の広帯域同期化信号との間の比較を行う。様々な実施形態においては、ステップ５１１１０の比較は、相関動作である。動作は、ステップ５１１０からステップ５１１２に進む。ステップ５１１２において、無線通信デバイスは、比較動作の結果の関数として受信機タイミング調整動作を行う。ステップ５１１４において、無線通信デバイスは、前記比較動作の結果及び前記受信されたビーコン信号の周波数の測定値のうちの少なくとも１つの関数として受信機周波数調整動作を行う。ステップ５１１６において、無線通信デバイスは、前記受信された広帯域同期化信号及び前記決定された既知の広帯域同期化信号の両方を用いてチャネル推定値を生成する。ステップ５１１６は、サブステップ５１１８を含む。サブステップ５１１８において、無線通信デバイスは、前記決定された既知の広帯域同期化信号と前記受信された広帯域同期化信号との間の差を決定する。動作は、ステップ５１１６からステップ５１０４に進み、ステップ５１０４において、無線通信デバイスは、ビーコン信号と広帯域同期化信号とを含む他の信号を受信する。
【００８０】
様々な実施形態においては、ビーコン信号は、多くとも２つのトーンを含む狭帯域信号である。幾つかの実施形態においては、ビーコン信号は、単一トーン信号、例えば２つの連続するＯＦＤＭシンボル送信期間にわたって通信される単一トーン信号、である。様々な実施形態においては、広帯域同期化信号は、複数のトーン、例えば対応するビーコン信号の同じ２つの連続するＯＦＤＭシンボル送信期間に関して割り当てられた複数のトーン、を含む。幾つかの実施形態においては、トーンブロック、例えば基地局アタッチメントポイントによって使用中のダウンリンクトーンブロック、のトーンの組は、割り当てられたビーコントーン及び対応する広帯域信号に割り当てられたトーンの組の複合体である。幾つかの実施形態においては、ＤＣトーンは、ＤＣトーンが非ヌル広帯域同期化信号変調シンボル値に割り当てられているかどうかにかかわらず、ＯＦＤＭシンボル構築の一部として意図的にヌル化され、従って、該実施形態においては、ＤＣトーンヌル化は、広帯域同期化信号値の決定をオーバーライドする。
【００８１】
図２２は、１つにまとめて結合されたモジュール５２０４、５２０６及び５２０８を含む、様々な実施形態による典型的基地局５２００の図である。典型的基地局５２００は、図１の典型的システム１００の基地局のうちのいずれかであることができる。典型的基地局５２００は、図２０の方法のステップを実装するために用いることができる。モジュール５２０４は、第１のビーコン信号と第１の広帯域同期化信号とを含む第１のコンポジット信号を送信するためのモジュールであり、前記第１の広帯域同期化信号は、第１の複数のトーンを含み、前記第１の複数のトーンは、少なくとも幾つかのヌルトーンと、少なくとも幾つかの低電力トーン、とを含み、前記低電力トーンは、前記第１のビーコン信号のあらゆるトーンのトーン当たり電力の１／２よりも低い平均トーン当たり電力を有する。モジュール５２０６は、第１のビーコン信号を通信するために用いられない少なくとも１つのトーンを含む第２のビーコン信号と第２の広帯域同期化信号とを含む第２のコンポジット信号を送信するためのモジュールであり、前記第２の広帯域同期化信号は、複数のトーンを含み、前記第２の複数のトーンは、少なくとも幾つかのヌルトーンと、少なくとも幾つかの低電力トーン、とを含み、前記低電力トーンは、前記第２のビーコン信号のあらゆるトーンのトーン当たり電力の１／２よりも低い平均トーン当たり電力を有し、前記第２のコンポジット信号を前記送信することは、前記第１のコンポジット信号の送信と重ならない期間中に行われる。モジュール５２０８は、複数の追加のコンポジット信号を送信するためのモジュールであり、各々の追加のコンポジット信号は、追加のビーコン信号と、追加の広帯域同期化信号と、を含み、各々の追加の広帯域同期化信号は、少なくとも幾つかのヌルトーンと、少なくとも幾つかの低電力トーンと、を含み、前記低電力トーンは、前記追加のビーコン信号のあらゆるトーンのトーン当たり電力の１／２よりも低い平均トーン当たり電力を有し、各々の追加のビーコン信号は、異なるトーンに対応し、各々の追加の広帯域同期化信号は、一意であり、前記追加のビーコン信号のうちの単一の追加のビーコン信号に対応する。
【００８２】
図２３は、様々な実施形態による典型的無線端末５３００、例えばモバイルノード、の図である。典型的無線端末５３００は、図１の典型的システム１００の典型的エンドノードのうちのいずれかであることができる。典型的無線端末５３００は、図２１の方法のステップを実装することができる。典型的無線端末５３００は、１つにまとめて結合されたモジュール５３０４、５３０６、５３０８、５３１０、５３１２、５３１４、５３１６、を含む。モジュール５３０４は、モジュール５３０４は、ビーコン信号と広帯域信号とを含む信号を受信するためのモジュールである。モジュール５３０６は、モジュール５３０４によって入手された受信されたビーコン信号を識別するためのモジュールである。モジュール５３０８は、モジュール５３０６によって識別された識別されたビーコン信号に対応する既知の広帯域同期化信号を決定するためのモジュールである。モジュール５３１０は、モジュール５３０４から入手された、受信された広帯域同期化信号と、モジュール５３０８から決定された、決定された既知の広帯域同期化信号との間における比較動作を行うためのモジュールである。モジュール５３１０は、相関動作を行うためのモジュールであるモジュール５３１１を含む。モジュール５３１２は、受信機タイミング調整動作をモジュール５３１０によって行われる比較動作の結果の関数として行うためのモジュールである。モジュール５３１４は、受信周波数調整動作をモジュール５３１０の比較動作の結果及び例えばモジュール５３０６によって行われた受信されたビーコン信号の周波数の測定値のうちの少なくとも１つの関数として行うためのモジュールである。モジュール５３１６は、モジュール５３０４から入手された、前記受信された広帯域同期化信号、及びモジュール５３０８から入手された、前記決定された既知の広帯域同期化信号の両方を用いてチャネル推定値を生成するためのモジュールである。モジュール５３１６は、モジュール５３０８から入手された決定された既知の広帯域同期化信号とモジュール５３０４から入手された受信された広帯域同期化信号との間の差を決定するためのモジュールであるモジュール５３１８を含む。
【００８３】
図２４は、様々な実施形態による典型的基地局５４００の図である。典型的基地局５４００は、図１の典型的システム１００の典型的基地局のうちのいずれかであることができる。典型的基地局５４００は、様々な要素がデータ及び情報を交換することができるバス５４１０を介してひとつに結合された受信機モジュール５４０２と、多トーン送信機モジュール５４０４と、プロセッサ５４０６と、Ｉ／Ｏインタフェース５４０７と、メモリ５４０８と、を含む。メモリ５４０８は、ルーチン５４１２と、データ／情報５４１４と、を含む。プロセッサ５４０６、例えばＣＰＵ、は、基地局５４００の動作を制御するため及び方法のステップを実装するために、メモリ５４０８内のルーチン５４１２を実行し、データ／情報５４１４を用いる。
【００８４】
受信機モジュール５４０２、例えばＯＦＤＭ受信機、は、受信アンテナ５４０３に結合され、基地局は、受信アンテナ５４０３を介して、無線端末からアップリンク信号を受信する。多トーン送信機モジュール５４０４、例えばＯＦＤＭ送信機、は、送信アンテナ５４０５に結合され、基地局は、送信アンテナ５４０５を介して、（ｉ）コンポジット信号であって、ビーコン信号とマッチングされた広帯域同期化信号とを含むコンポジット信号と、（ｉｉ）ユーザーデータ情報を搬送するＯＦＤＭシンボル、例えばダウンリンクトラフィックチャネルセグメントに対応する変調シンボルを搬送するＯＦＤＭシンボル、と、を含むダウンリンク信号を送信する。
【００８５】
Ｉ／Ｏインタフェース５４０７は、基地局５４００を、インターネット及び／又はその他のネットワークノード、例えばその他の基地局、ルーター、ＡＡＡノード、ホームエージェントノード、等に結合する。Ｉ／Ｏインタフェース５４０７は、基地局５４００をバックホールネットワークに結合することによって、基地局５４００アタッチメントポイントを用いる無線端末が異なる基地局を自己のアタッチメントポイントとして用いているピアノードとの通信セッションに参加することを可能にする。
【００８６】
ルーチン５４１２は、通信ルーチン５４１６と、基地局制御ルーチン５４１８と、を含む。通信ルーチン５４１６は、基地局５４００によって用いられる様々な通信プロトコルを実装する。基地局制御ルーチン５４１８は、受信機制御モジュール５４２０と、送信機制御モジュール５４２２と、Ｉ／Ｏインタフェース制御モジュール５４２４と、を含む。受信機制御モジュール５４２０は、受信機モジュール５４０２の動作、例えば、受信機の微調整、タイミング調整の制御、復号及び情報復元動作の制御、等、を制御する。Ｉ／Ｏインタフェース制御モジュール５４２４は、Ｉ／Ｏインタフェース５４０７の動作、例えばバックホールネットワークを通じて通信中のパケットの送信及び復元、を制御する。
【００８７】
送信機制御モジュール５４２２は、多トーン送信機モジュール５４０４の動作、例えば、送信機の微調整、タイミング調整の制御、信号構築の制御、生成された信号の送信タイミング、等、を制御する。送信機制御モジュール５４２２は、第１のビーコン信号と第１の広帯域同期化信号とを含む第１のコンポジット信号を送信するように多トーン送信機５４０４を制御し、前記第１の広帯域同期化信号は、第１の複数のトーンを含み、前記第１の複数のトーンは、少なくとも幾つかのヌルトーンと、少なくとも幾つかの低電力トーンと、を含み、前記低電力トーンは、第１のビーコン信号のあらゆるトーンのトーン当たり電力の１／２よりも低い平均トーン当たり電力を有する。送信機制御モジュール５４２２は、第１のコンポジット信号の送信を反復的に繰り返すように多トーン送信機５４０４も制御する。
【００８８】
様々な実施形態においては、第１のビーコン信号は、多くとも２つのトーンを含む狭帯域信号である。幾つかの実施形態においては、第１のビーコン信号は、単一トーン信号である。幾つかの実施形態においては、第１のコンポジット信号は、１つのシンボル送信期間よりも大きい継続時間を有する。様々な実施形態においては、第１の広帯域同期化信号は、少なくともＸのトーンを含み、前記第１の広帯域同期化信号に含まれる前記Ｘのトーンのうちの少なくとも１／４はヌルトーンであり、ここで、Ｘは、４よりも大きい正の整数である。幾つかの該実施形態においては、Ｘは、少なくとも２０である。様々な実施形態においては、第１の広帯域同期化信号は、第１の予め決められたパターンによる前記ヌルトーンが内在されている非ヌルトーンを含む。幾つかの該実施形態においては、前記第１の広帯域同期化信号内の非ヌルトーンは、予め決められた変調シンボル値を通信する。様々な実施形態においては、第１の広帯域同期化信号内の予め決められた変調シンボル値は、最大で４つの異なる予め決められた変調シンボル値のうちのいずれか１つであることができる。幾つかの該実施形態においては、第１の広帯域同期化信号内の予め決められた変調シンボル値は、最大で２つの異なる予め決められた変調シンボル値のうちのいずれか１つであることができる。
【００８９】
送信機制御モジュール５４２２は、第１のビーコン信号を通信するために用いられない少なくとも１つのトーンを含む第２のビーコン信号と第２の広帯域同期化信号とを含む第２のコンポジット信号を送信するように、多トーン送信機５４０４を格納されている送信タイミング情報及び格納されている信号定義情報の関数としてさらに制御し、前記第２の広帯域同期化信号は、第２の複数のトーンを含み、前記第２の複数のトーンは、少なくとも幾つかのヌルトーンと、少なくとも幾つかの低電力トーンと、を含み、前記低電力トーンは、前記第２のビーコン信号のあらゆるトーンのトーン当たり電力の１／２よりも低い平均トーン当たり電力を有し、前記第２のコンポジット信号を前記送信することは、前記第１のコンポジット信号の送信と重ならない期間中に行われる。送信機制御モジュール５４２２は、さらに第２のコンポジット信号の送信を反復的に繰り返すように多トーン送信機５４０４を制御する。
【００９０】
送信機制御モジュール５４２２は、追加のコンポジット信号であって、ビーコン信号と対応する広帯域同期化信号とを含む追加のコンポジット信号、を例えば反復的に送信するように多トーン送信機５４０４を格納された情報及び格納された信号定義情報の関数としてさらに制御する。
【００９１】
データ／情報５４１４は、格納された送信タイミング情報５４２６と、格納された信号定義情報５４２８と、を含む。格納された送信タイミング情報５４２６は、反復的ダウンリンクタイミング構造情報５４３０を含む。反復的ダウンリンクタイミング構造情報５４３０は、第１のコンポジット信号タイミング情報５４３２と、第２のコンポジット信号タイミング情報５４３４と、．．．、Ｎ番目のコンポジット信号タイミング情報５４３６と、を含む。
【００９２】
第１のコンポジット信号タイミング情報５４３２は、第１のコンポジット信号がいつ送信されるべきかを示す送信タイミング情報、例えば基地局送信機によって使用中の反復的ダウンリンクタイミング構造内におけるタイミング位置、を含む。第２のコンポジット信号タイミング情報５４３４は、第２のコンポジット信号がいつ送信されるべきかを示す送信タイミング情報、例えば基地局送信機によって使用中の反復的ダウンリンクタイミング構造内におけるタイミング位置、を含む。Ｎ番目のコンポジット信号タイミング情報５４３６は、Ｎ番目のコンポジット信号がいつ送信されるべきかを示す送信タイミング情報、例えば基地局送信機によって使用中の反復的ダウンリンクタイミング構造内におけるタイミング位置、を含む。
【００９３】
格納された信号定義情報５４２８は、コンポジット信号情報５４３８を含む。コンポジット信号情報５４３８は、第１のコンポジット信号情報５４４０と、第２のコンポジット信号情報５４４２と、．．．、Ｎ番目のコンポジット信号情報５４４４と、を含む。第１のコンポジット信号情報５４４０は、第１のビーコン信号情報５４４６と、第１の広帯域同期化信号情報５４４８と、を含む。第２のコンポジット信号情報５４４２は、第２のビーコン信号情報５４５０と、第２の広帯域同期化信号情報５４５２と、を含む。Ｎ番目のコンポジット信号情報５４４４は、Ｎ番目のビーコン信号情報５４５４と、Ｎ番目の広帯域同期化信号情報５４５６と、を含む。
【００９４】
第１のコンポジット信号情報５４４０は、第１のコンポジット信号を定義する情報、例えば、電力レベル情報、トーン情報、トーンと関連づけられた変調シンボル情報、いずれのトーン又はトーン（複数）がビーコン信号内に含まれているか、いずれのトーンがヌルトーンとして広帯域同期化信号内に含まれているか、いずれのトーンが低電力トーンとして広帯域同期化信号内に含まれているか、等、を含む。第１のビーコン信号情報５４４６は、第１のコンポジット信号内に含まれているビーコン信号のトーン又はトーン（複数）を識別する情報と、ビーコントーンによって搬送される変調シンボル値を識別する情報と、ビーコン信号トーンと関連づけられた電力レベルを識別する情報と、を含む。第１の広帯域同期化信号５４４８は、第１の広帯域同期化信号のトーンを識別する情報、これらのトーンのうちのいずれがヌルトーンであるか、これらのトーンのうちのいずれが低電力トーンであるか、低電力トーンと関連づけられた電力レベル情報、及び低電力トーンと関連づけられた予め決められた変調シンボル値を含む。
【００９５】
第２のコンポジット信号情報５４４２は、第２のコンポジット信号を定義する情報、例えば、電力レベル情報、トーン情報、トーンと関連づけられた変調シンボル情報、いずれのトーン又はトーン（複数）がビーコン信号内に含まれているか、いずれのトーンがヌルトーンとして広帯域同期化信号内に含まれているか、いずれのトーンが低電力トーンとして広帯域同期化信号内に含まれているか、等、を含む。第２のビーコン信号情報５４５０は、第２のコンポジット信号内に含まれているビーコン信号のトーン又はトーン（複数）を識別する情報と、ビーコントーンによって搬送される変調シンボル値を識別する情報と、ビーコン信号トーンと関連づけられた電力レベルを識別する情報と、を含む。第２の広帯域同期化信号情報５４５２は、第２の広帯域同期化信号のトーンを識別する情報、これらのトーンのうちのいずれがヌルトーンであるか、これらのトーンのうちのいずれが低電力トーンであるか、低電力トーンと関連づけられた電力レベル情報、及び低電力トーンと関連づけられた予め決められた変調シンボル値を含む。
【００９６】
Ｎ番目のコンポジット信号情報５４４４は、Ｎ番目のコンポジット信号を定義する情報、例えば、電力レベル情報、トーン情報、トーンと関連づけられた変調シンボル情報、いずれのトーン又はトーン（複数）がビーコン信号内に含まれているか、いずれのトーンがヌルトーンとして広帯域同期化信号内に含まれているか、いずれのトーンが低電力トーンとして広帯域同期化信号内に含まれているか、等、を含む。Ｎ番目のビーコン信号情報５４５４は、Ｎ番目のコンポジット信号内に含まれているビーコン信号のトーン又はトーン（複数）を識別する情報と、ビーコントーンによって搬送される変調シンボル値を識別する情報と、ビーコン信号トーンと関連づけられた電力レベルを識別する情報と、を含む。Ｎ番目の広帯域同期化信号５４５６は、Ｎ番目の広帯域同期化信号のトーンを識別する情報、これらのトーンのうちのいずれがヌルトーンであるか、これらのトーンのうちのいずれが低電力トーンであるか、低電力トーンと関連づけられた電力レベル情報、及び低電力トーンと関連づけられた予め決められた変調シンボル値を含む。
【００９７】
様々な実施形態においては、格納された信号情報５４３８は、前記第２の広帯域同期化信号は、第１の広帯域同期化信号の非ヌルトーンと同じであるが第１の広帯域同期化信号の少なくとも１つの非ゼロトーンにおいて通信される変調シンボルとは異なる変調シンボルを少なくとも１つの非ゼロトーンにおいて通信する非ヌルトーンを含むことを示す。例えば、１つの典型的実施形態においては、第１の広帯域同期化信号及び第２の広帯域同期化信号の両方がインデックス＝２を有するトーンを非ヌルトーンとして用いることができるが、第１の広帯域同期化信号は、値（１、０）を有する変調シンボルをそのトーンにおいて搬送することができ、他方、第２の広帯域同期化信号は、値（−１、０）を有する変調シンボルをそのトーンにおいて搬送することができる。
【００９８】
様々な実施形態においては、格納された信号情報５４３８は、第２の広帯域同期化信号内に含まれる少なくとも幾つかの非ヌルトーンは、前記第１の広帯域同期化信号内に含まれる非ヌルトーンと異なることを示す。例えば、１つの典型的実施形態においては、インデックス＝１１１及び１１２を有するトーンは、非ヌルトーンとして第２の広帯域同期化信号内に含められ、これらのトーンは、第１の広帯域同期化信号内における非ヌルトーンとして用いられない。
【００９９】
幾つかの実施形態においては、第１及び第２の広帯域同期化信号は、一意であり、第１及び第２のビーコン信号にそれぞれマッピングする。例えば、第１の広帯域同期化信号は、トーンインデックス＝４を有するビーコントーンに対応し、インデックス＝４を有するビーコントーンと関連づけられた図１５及び１６のテーブル４２００及び４３００の情報を含む情報によって定義することができる。この例を続けると、第２の広帯域同期化信号は、トーンインデックス＝７を有するビーコントーンに対応し、インデックス＝７を有するビーコントーンと関連づけられた図１５及び１６のテーブル４２００及び４３００の情報を含む情報によって定義することができる。
【０１００】
幾つかの実施形態においては、格納された信号情報５４３８によって定義されたコンポジット信号の組は、前記第１及び第２のコンポジット信号に加えて複数のコンポジット信号の各々を定義し、各々の追加のコンポジット信号は、ビーコン信号と、対応する広帯域同期化信号と、を含み、各々の広帯域同期化信号は、少なくとも幾つかのヌルトーンと、少なくとも幾つかの低電力トーンと、を含み、前記低電力トーンは、対応するビーコン信号のあらゆるトーンのトーン当たり電力の１／２よりも低い平均トーン当たり電力レベルを有する。幾つかの該実施形態においては、各々の追加のビーコン信号は、異なるトーンに対応し、各々の追加の広帯域同期化信号は、一意であり、前記追加のビーコン信号のうちの単一のトーンに対応する。例えば、１つの典型的実施形態においては、Ｎのコンポジット信号の組は、図１５及び１６に含まれる情報によって定義される３６の可能なコンポジット信号の部分組である。
【０１０１】
図２５は、様々な実施形態により実装される典型的無線端末５５００、例えばモバイルノード、の図である。典型的無線端末５５００は、図１の典型的システム１００の典型的エンドノードのうちのいずれかであることができる。典型的無線端末５５００は、様々な要素がデータ及び情報を交換することができるバス５５１１を介してひとつに結合された受信機モジュール５５０２と、送信機モジュール５５０４と、プロセッサ５５０６と、ユーザーＩ／Ｏデバイス５５１８と、メモリ５５１０と、を含む。メモリ５５１０は、ルーチン５５１２と、データ／情報５５１４と、を含む。プロセッサ５５０６、例えばＣＰＵ、は、無線端末５５００の動作を制御するため及び方法を実装するためにメモリ５５１０内のルーチン５５１２を実行し、データ／情報５５１４を用いる。
【０１０２】
受信機モジュール５５０２、例えばＯＦＤＭ受信機は、受信アンテナ５５０３に結合され、無線端末は、受信アンテナ５５０３を介して、ダウンリンク信号を基地局から受信する。受信されたダウンリンク信号は、コンポジット信号であって、ビーコン信号と対応する広帯域タイミング同期化信号とを含むコンポジット信号、を含む。受信されたダウンリンク信号は、その他のＯＦＤＭ信号、例えばユーザーデータを搬送するＯＦＤＭシンボル、も含む。
【０１０３】
送信機モジュール５５０４、例えばＯＦＤＭ送信機、は、送信アンテナ５５０５に結合され、無線端末は、送信アンテナ５５０５を介して、アップリンク信号を基地局に送信する。ユーザーＩ／Ｏデバイス５５０８、例えばマイク、キーボード、キーパッド、カメラ、スイッチ、スピーカー、ディスプレイ、等、は、無線端末５５００のユーザーがデータ／情報を入力すること、
出力データ／情報にアクセスすること、アプリケーションを制御すること、及び動作、例えば通信セッションの開始、を実行することを可能にする。
【０１０４】
ルーチン５５１２は、通信ルーチン５５１６と、無線端末制御ルーチン５５１８と、を含む。通信ルーチン５５１６は、無線端末５５００によって用いられる様々な通信プロトコルを実装する。無線端末制御ルーチン５５１８は、ビーコン信号識別モジュール５５２０と、広帯域同期化信号決定モジュール５５２２と、比較モジュール５５２４と、受信機タイミング調整モジュール５５２８と、受信機周波数調整モジュール５５３０と、チャネル推定モジュール５５３２と、を含む。比較モジュール５５２４は、相関モジュール５５２６を含む。チャネル推定モジュール５５３２は、差決定モジュール５５３４を含む。
【０１０５】
ビーコン信号識別モジュール５５２０は、例えば複数の可能なビーコン信号からの受信されたビーコン信号を識別する。例えば、一実施形態においては、ビーコン信号は、例えば図１４の３６の可能なビーコントーンのうちの１つに対応する単一トーン信号であることができ、各々の可能なビーコントーンは、可能なビーコン信号情報（第１のビーコン信号情報５５６２、．．．、Ｎ番目のビーコン信号情報５５６６）のうちの１つをマッチングし、ビーコン識別モジュール５５５６は、（第１のビーコン信号情報５５６２、．．．、Ｎ番目のビーコン信号情報５５６６）内の可能な代替と比較して、例えば受信されたビーコン信号情報５５３８の周波数情報に基づいてマッチを決定する。次に、ビーコン信号識別モジュール５５２０は、受信されたビーコン信号情報５５３８を含む受信されたコンポジット信号情報５５３６を処理し、Ｎの可能なビーコン信号のうちの１つを識別する識別されたビーコン情報５５４２を決定する。
【０１０６】
広帯域同期化信号決定モジュール５５２２は、識別されたビーコン信号に対応する既知の広帯域信号を決定する。モジュール５５２２は、識別されたビーコン情報５５４２を用いて、（第１の広帯域既知同期化信号情報５５６４、．．．、Ｎ番目の広帯域既知同期化信号情報５５６８）のうちの１つの特性を有する既知の広帯域同期化信号を決定し、既知の広帯域同期化信号は、識別されたビーコン信号と対である。例えば、識別されたビーコン信号はインデックス＝１０を有するトーンを用いることを検討すると（図１４参照）、広帯域同期化信号決定モジュール５５２２は、識別された広帯域同期化信号が、インデックス＝１０を有するビーコントーンに対応するテーブル４２００及び４３００によって識別された特性を有すると決定する（図１５及び１６を参照）。例えば、インデックス（１、２、３、４、６、７、８、９、１１、１３、１７、１８、２１、２２、２３、２６、２８、２９、３１、３２、３４、３７、３８、３９、４０、４１、４３、４５、４７、４８、４９、５２、５８、６１、６２、６３、６４、７０、７１、７２、７４、７７、７８、８０、８１、８２、８３、８９、９１、９５、９６、９８、１０２、１０６、１０８、１０９、１１２）を有するトーンは、ヌルであり、インデックス（０、５、１２、１４、１５、１６、１９、２０、２４、２５、２７、３０、３３、３５、３６、４２、４４、４６、５０、５１、５３、５４、５５、５６、５７、５９、６０、６５、６６、６７、６８、６９、７３、７５、７６、７９、８４、８５、８６、８７、８８、９０、９２、９３、９４、９７、９９、１００、１０１、１０３、１０４、１０５、１０７、１１０、１１１）を有するトーンは、非ゼロ低電力変調シンボル（（１、０）、（−１、０）、（１、０）、（１、０）、（１、０）、（−１、０）、（１、０）、（−１、０）、（−１、０）、（−１、０）、（−１、０）、（１、０）、（−１、０）、（１、０）、（−１、０）、（１、０）、（１、０）、（−１、０）、（−１、０）、（−１、０）、（−１、０）、（−１、０）、（１、０）、（−１、０）、（−１、０）、（１、０）、（−１、０）、（１、０）、（−１、０）、（−１、０）、（−１、０）、（−１、０）、（１、０）、（−１、０）、（−１、０）、（１、０）、（−１、０）、（１、０）、（１、０）、（−１、０）、（１、０）、（−１、０）、（−１、０）、（−１、０）、（１、０）、（−１、０）、（１、０）、（１、０）、（１、０）、（−１、０）、（−１、０）、（１、０）、（−１、０）、（−１、０）、（１、０））をそれぞれ予め決められた固定された電力レベルで搬送する。決定された既知の広帯域同期化信号情報５５４４は、広帯域同期化信号決定モジュール５５２２の出力である。
【０１０７】
比較モジュール５５２４は、受信された広帯域同期化信号５５４０を決定された既知の広帯域同期化信号情報、例えば情報５５４４、と比較して比較結果情報５５４６を入手することを含む比較動作を行う。比較モジュール５５２４は、相関動作を行うための相関モジュール５５２６を含む。
【０１０８】
受信機タイミング調整モジュール５５２８は、受信機５５０２タイミング調整動作を比較動作の結果の関数として行う。受信機周波数調整モジュール５５３０は、受信機５５０２周波数調整動作を比較動作の結果及び受信されたビーコン信号の周波数の測定値のうちの少なくとも１つの関数として行う。
【０１０９】
チャネル推定モジュール５５３２は、前記受信された広帯域同期化信号及び前記決定された既知の広帯域同期化信号の両方を用いてチャネル推定値を生成する。差決定モジュール５５３４は、決定された既知の広帯域同期化信号と受信された広帯域同期化信号との間の差を決定する。
【０１１０】
データ／情報５５１４は、受信されたコンポジット信号情報５５３６と、識別されたビーコン情報５５４２と、決定された既知の広帯域同期化信号情報５５４４と、比較結果情報５５４６と、タイミング調整情報５５４８と、周波数調整情報５５５０と、生成されたチャネル推定値情報５５５２と、格納された信号定義情報５５５４と、タイミング広帯域同期化情報５５７６と、を含む。
【０１１１】
受信されたコンポジット信号情報５５３６は、受信されたビーコン信号情報５５３８と、受信された広帯域同期化信号情報５５４０と、を含む。
【０１１２】
格納された信号定義情報５５５４は、コンポジット信号情報５５５６と、ユーザーデータ信号情報５５７２と、を含む。
【０１１３】
コンポジット信号情報５５５６は、複数の組のコンポジット信号情報（第１のコンポジット信号情報５５５８、．．．、Ｎ番目のコンポジット信号情報５５６０）と、コンポジット信号フォーマット情報と、を含む。第１のコンポジット信号情報５５５８は、第１のビーコン信号情報５５６２と、第１の広帯域既知同期化信号情報５５６４と、を含む。Ｎ番目のコンポジット信号情報５５６０は、Ｎ番目のビーコン信号情報５５６６と、Ｎ番目の広帯域既知同期化信号情報５５６８と、を含む。第１のビーコン信号情報５５６２は、第１のビーコン信号を識別する情報、例えば、第１のビーコン信号のトーン又はトーン（複数）を識別する情報と、ビーコントーン又はトーン（複数）と関連づけられた電力レベルを識別する情報と、を含む。第１の広帯域既知同期化信号情報５５６４は、第１の広帯域既知同期化信号のトーンの組、いずれのトーンがヌルトーンであるか、いずれのトーンが非ヌルトーンであるか、非ヌルトーンと関連づけられた電力レベル、及び非ヌルトーンの各々によって搬送される変調シンボル値を識別する情報を含む。Ｎ番目のビーコン信号情報５５６６は、Ｎ番目のビーコン信号を識別する情報、例えば、Ｎ番目のビーコン信号のトーン又はトーン（複数）を識別する情報、と、ビーコントーン又はトーン（複数）と関連づけられた電力レベルを識別する情報と、を含む。Ｎ番目の広帯域既知同期化信号情報５５６８は、Ｎ番目の広帯域既知同期化信号のトーンの組、いずれのトーンがヌルトーンであるか、いずれのトーンが非ヌルトーンであるか、非ヌルトーンと関連づけられた電力レベル、及び非ヌルトーンの各々によって搬送される変調シンボル値を識別する情報を含む。
【０１１４】
コンポジット信号フォーマット情報５５７０は、コンポジット信号の特性を識別する及び該特性に関連する情報を含み、例えば、２つの連続するＯＦＤＭシンボル送信時間間隔を占め、トーンは、コンポジット信号に対応する２つの連続するＯＦＤＭシンボル送信期間の間ではホップされず、信号は、サイクリックプリフィックスを含み、本体部分によって後続され、拡張部分によって後続される。
【０１１５】
ユーザーデータ信号情報５５７２は、ユーザーデータ、例えば音声、オーディオ、画像、及び／又はテキストデータ、を通信するために用いられる信号に関連する情報、ＯＦＤＭシンボル内のトラフィックチャネルセグメントの諸部分によって搬送中の変調シンボル内での情報通信を含む。ユーザーデータ信号情報５５７２は、ユーザーデータを搬送するＯＦＤＭシンボルに関するフォーマット情報、例えば、該ＯＦＤＭシンボルがサイクリックプリフィックス部分を含み、本体部分によって後続され、単一のＯＦＤＭシンボル送信期間を占有することを識別する情報、を含む。ユーザーデータ信号情報５５７２は、ユーザーデータを搬送する連続するＯＦＤＭシンボルに関連するトーンホッピング情報も含む。
【０１１６】
タイミング構造情報５５７６は、ダウンリンク及びアップリンクチャネル構造情報を含む。ダウンリンクチャネル構造情報は、コンポジット信号が通信される反復的ダウンリンク構造内の時間間隔及びユーザーデータ信号が通信される反復的ダウンリンク構造内の時間間隔を識別する情報を含む。
【０１１７】
様々な実施形態の技術は、ソフトウェア、ハードウェア及び／又はソフトウェアとハードウェアの組合せを用いて実装することができる。様々な実施形態は、装置、例えばモバイル端末等のモバイルノード、基地局、通信システム、を対象とする。様々な実施形態は、方法、例えばモバイルノード、基地局及び／又は通信システム、例えばホスト、を制御する及び／又は動作させる方法、も対象とする。様々な実施形態は、方法の１つ以上のステップを実装するように機械を制御するための機械によって読み取り可能な命令を含む機械によって読み取り可能な媒体、例えばＲＯＭ、ＲＡＭ、ＣＤ、ハードディスク等も対象とする。
【０１１８】
様々な実施形態においては、本明細書において説明されるノードは、１つ以上の方法に対応するステップ、例えば信号処理ステップ、メッセージ生成ステップ及び／又は送信ステップ、を実行するための１つ以上のモジュールを用いて実装される。従って、幾つかの実施形態においては、様々な特長がモジュールを用いて実装される。該モジュールは、ソフトウェア、ハードウェア又はソフトウェアとハードウェアの組合せを用いて実装することができる。上述される方法又は方法ステップの多くは、上述される方法の全部又は一部を例えば１つ以上のノード内に実装するために、機械、例えば追加のハードウェアを有する又は有さない汎用コンピュータ、を制御するための、メモリデバイス、例えばＲＡＭ、フロッピー（登録商標）ディスク等の機械によって読み取り可能な媒体、に含まれている機械によって実行可能な命令、例えばソフトウェア、を用いて実装することができる。従って、とりわけ、様々な実施形態は、機械、例えばプロセッサ及び関連するハードウェア、に上述される方法のステップのうちの１つ以上を実行させるための機械によって実行可能な命令を含む機械によって読み取り可能な媒体を対象とする。
【０１１９】
ＯＦＤＭシステムに関して説明されている一方で、様々な実施形態の方法及び装置の少なくとも一部は、数多くの非ＯＦＤＭシステム及び／又は非セルラーシステムを含む広範な通信システムに対しても適用可能である。
【０１２０】
上記の説明に鑑みて、上述される様々な実施形態の方法及び装置に関する数多くの追加の変形が当業者にとって明確になるであろう。該変形は、適用範囲内にあるとみなされるべきである。方法及び装置は、ＣＤＭＡ、直交周波数分割多重化（ＯＦＤＭ）、及び／又はアクセスノードとモバイルノードとの間において無線通信リンクを提供するために用いることができる様々なその他の型の通信技術とともに用いることができ、様々な実施形態において用いられている。幾つかの実施形態においては、アクセスノードは、ＯＦＤＭ及び／又はＣＤＭＡを用いるモバイルノードとの通信リンクを構築する基地局として実装される。様々な実施形態においては、モバイルノードは、方法を実装するための、受信機／送信機回路及び論理及び／又はルーチンを含むノート型コンピュータ、パーソナルデータアシスタント（ＰＤＡ）、又はその他のポータブルデバイスとして実装される。
【図面の簡単な説明】
【０１２１】
【図１】様々な実施形態により実装される典型的通信システムの図である。
【図２】様々な実施形態により実装される典型的基地局の図である。
【図３】様々な実施形態により実装される典型的無線端末、例えばモバイルノード、の図である。
【図４】様々な実施形態による典型的直交周波数分割多重化（ＯＦＤＭ）ダウンリンクタイミング構造を示す。
【図５】様々な実施形態による典型的直交周波数分割多重化（ＯＦＤＭ）ダウンリンクタイミング構造を示す。
【図６】様々な実施形態による典型的直交周波数分割多重化（ＯＦＤＭ）ダウンリンクタイミング構造を示す。
【図７】様々な実施形態による典型的直交周波数分割多重化（ＯＦＤＭ）ダウンリンクタイミング構造を示す。
【図８】様々な実施形態による典型的直交周波数分割多重化（ＯＦＤＭ）ダウンリンクタイミング構造を示す。
【図９】様々な実施形態により実装される、基地局セクターからの典型的ビーコンシグナリングを示した図である。
【図１０】様々な実施形態により実装される、基地局セクターからの典型的ビーコンシグナリングを示した図である。
【図１１】様々な実施形態により実装される、基地局セクターからの典型的ビーコンシグナリングを示した図である。
【図１２】幾つかの実施形態による典型的ビーコン／広帯域同期化ブロードキャストコンポジットシグナリングを示した製図である。
【図１３】幾つかの実施形態によるビーコン／広帯域同期化ブロードキャストコンポジットシグナリングの他の例を示した図である。
【図１４】幾つかの実施形態において用いられるビーコンシグナリングの特長を示す。
【図１５】図１５Ａ、１５Ｂ、図１５Ｃの組み合わせを示す図である。
【図１５Ａ】典型的実施形態において３６の可能なビーコントーンの各々を、１１３のトーンから成るトーンブロック内のその他の５５のトーンのうちのいずれのトーンが変調シンボル値を搬送する非ヌル広帯域同期化トーンとして用いられるかを識別するマスクと関連づけるテーブルである。
【図１５Ｂ】典型的実施形態において３６の可能なビーコントーンの各々を、１１３のトーンから成るトーンブロック内のその他の５５のトーンのうちのいずれのトーンが変調シンボル値を搬送する非ヌル広帯域同期化トーンとして用いられるかを識別するマスクと関連づけるテーブルである。
【図１５Ｃ】典型的実施形態において３６の可能なビーコントーンの各々を、１１３のトーンから成るトーンブロック内のその他の５５のトーンのうちのいずれのトーンが変調シンボル値を搬送する非ヌル広帯域同期化トーンとして用いられるかを識別するマスクと関連づけるテーブルである。
【図１６】図１６Ａ、１６Ｂの組合せを示す図である。
【図１６Ａ】典型的実施形態において３６の可能なビーコントーンの各々を、非ヌル広帯域同期化トーンによって用いられる５５の変調シンボル値から成る対応する組と関連づけるテーブルである。
【図１６Ｂ】典型的実施形態において３６の可能なビーコントーンの各々を、非ヌル広帯域同期化トーンによって用いられる５５の変調シンボル値から成る対応する組と関連づけるテーブルである。
【図１７】典型的実施形態による典型的ＯＦＤＭビーコン信号／広帯域同期化信号の組合せを示す。
【図１８】典型的実施形態による典型的ＯＦＤＭビーコン信号／広帯域同期化信号の組合せを示す。
【図１９】典型的な基本的実施形態における典型的ビーコン信号／広帯域同期化信号の組合せを示した図である。
【図２０】様々な実施形態による典型的な基地局動作方法の流れ図である。
【図２１】様々な実施形態による典型的な無線端末動作方法の流れ図である。
【図２２】様々な実施形態による典型的基地局の図である。
【図２３】様々な実施形態による典型的無線端末の図である。
【図２４】様々な実施形態による典型的基地局の図である。
【図２５】様々な実施形態による典型的無線端末の図である。
【図１】
2009533986.tif 000003
【図２】
2009533986.tif 000004
【図３】
2009533986.tif 000005
【図４】
2009533986.tif 000006
【図５】
2009533986.tif 000007
【図６】
2009533986.tif 000008
【図７】
2009533986.tif 000009
【図８】
2009533986.tif 000010
【図９】
2009533986.tif 000011
【図１０】
2009533986.tif 000012
【図１１】
2009533986.tif 000013
【図１２】
2009533986.tif 000014
【図１３】
2009533986.tif 000015
【図１４】
2009533986.tif 000016
【図１５】
2009533986.tif 000017
【図１５Ａ】
2009533986.tif 000018
【図１５Ｂ】
2009533986.tif 000019
【図１５Ｃ】
2009533986.tif 000020
【図１６】
2009533986.tif 000021
【図１６Ａ】
2009533986.tif 000022
【図１６Ｂ】
2009533986.tif 000023
【図１７】
2009533986.tif 000024
【図１８】
2009533986.tif 000025
【図１９】
2009533986.tif 000026
【図２０】
2009533986.tif 000027
【図２１】
2009533986.tif 000028
【図２２】
2009533986.tif 000029
【図２３】
2009533986.tif 000030
【図２４】
2009533986.tif 000031
【図２５】
2009533986.tif 000032
【国際調査報告】
2009533986.tif 000033
2009533986.tif 000034
2009533986.tif 000035